(57)【要約】【課題】貨幣の再鑑を行う操作者の負担を軽減する。【解決手段】第１貨幣処理装置（10）では、貨幣が出金される出金処理が行われる。第２貨幣処理装置（20）では、出金処理において出金された貨幣が計数される計数処理が行われる。再鑑制御部（53）は、出金処理において出金された貨幣の金種別の枚数を示す出金金額情報を含む出金情報と計数処理において計数された貨幣の金種別の枚数を示す計数金額情報を含む計数情報とを取得して出金情報と計数情報とを照合する。【選択図】図１
2019185537.tif 000002
【特許請求の範囲】
【請求項１】
貨幣が出金される出金処理が行われる第１貨幣処理装置と、
前記出金処理において出金された貨幣が計数される計数処理が行われる第２貨幣処理装置と、
前記出金処理において出金された貨幣の金種別の枚数を示す出金金額情報を含む出金情報と前記計数処理において計数された貨幣の金種別の枚数を示す計数金額情報を含む計数情報とを取得して該出金情報と該計数情報とを照合する再鑑制御部とを備えている
ことを特徴とする貨幣処理システム。
【請求項２】
請求項１において、
前記再鑑制御部は、前記出金情報と前記計数情報とが不一致である場合に、該出金情報と該計数情報とが不一致であることを報知するための不一致報知情報を出力する
ことを特徴とする貨幣処理システム。
【請求項３】
請求項１または２において、
前記再鑑制御部は、前記出金処理が完了した後に予め定められた処理時間が経過するまでの期間中に前記計数処理が開始されない場合に、該出金処理の後に該計数処理が正常に行われていないことを報知するための異常報知情報を出力する
ことを特徴とする貨幣処理システム。
【請求項４】
請求項１または２において、
前記再鑑制御部は、前記出金処理が完了した後に予め定められた処理時間が経過するまでの期間中に前記計数処理が完了しない場合に、該出金処理の後に該計数処理が正常に行われていないことを報知するための異常報知情報を出力する
ことを特徴とする貨幣処理システム。
【請求項５】
請求項１〜４のいずれか１項において、
前記貨幣には、該貨幣を識別するための識別番号が付されており、
前記計数情報は、前記計数処理において計数された貨幣に付された識別番号を示す計数番号情報を含み、
前記再鑑制御部は、前記計数情報に含まれる計数番号情報に基づいて前記計数処理における前記貨幣の重複計数を検出する
ことを特徴とする貨幣処理システム。
【請求項６】
請求項１〜４のいずれか１項において、
前記貨幣には、該貨幣を識別するための識別番号が付されており、
前記出金情報は、前記出金処理において出金された貨幣に付された識別番号を示す出金番号情報を含み、
前記計数情報は、前記計数処理において計数された貨幣に付された識別番号を示す計数番号情報を含み、
前記再鑑制御部は、前記出金情報に含まれる前記出金金額情報と前記計数情報に含まれる前記計数金額情報とを照合し、且つ、該出金情報に含まれる前記出金番号情報と該計数情報に含まれる前記計数番号情報とを照合する
ことを特徴とする貨幣処理システム。
【請求項７】
請求項１〜６のいずれか１項において、
前記第１貨幣処理装置は、
前記貨幣を収納する収納部と、
前記貨幣を払い出す出金部と、
前記貨幣を搬送する搬送部と、
前記貨幣の識別と計数を行う識別部と、
前記出金処理において前記収納部から搬送された貨幣が前記識別部において識別されて前記出金部に搬送されるように前記第１貨幣処理装置の動作を制御し、該識別部による該貨幣の識別および計数の結果に基づいて前記出金情報を生成する出金制御部とを有している
ことを特徴とする貨幣処理システム。
【請求項８】
請求項１〜４のいずれか１項において、
前記第１貨幣処理装置は、
前記貨幣を収納するように構成され、該貨幣の装填および取り出しを許可するアクセス許可状態と該貨幣の装填および取り出しを禁止するアクセス禁止状態とに切り換え可能に構成されたドロアと、
操作者による操作が与えられる操作部と、
前記出金処理において所定の操作に応答して前記ドロアがアクセス禁止状態からアクセス許可状態になるように前記第１貨幣処理装置の動作を制御し、該ドロアから取り出される該貨幣の金種別の枚数に基づいて前記出金情報を生成する出金制御部とを有している
ことを特徴とする貨幣処理システム。
【請求項９】
請求項１〜６のいずれか１項において、
前記貨幣は、紙幣であり、
前記第２貨幣処理装置は、
前記出金処理において出金された紙幣が装填されるホルダと、
前記ホルダに装填された紙幣を捲る捲り機構と、
前記ホルダに装填された紙幣の識別と前記捲り機構により捲られた紙幣の計数とを行う識別部と、
前記計数処理において前記ホルダに装填された紙幣が前記識別部より識別されて前記捲り機構により捲られ、該捲り機構により捲られた紙幣が該識別部により計数されるように前記第２貨幣処理装置の動作を制御し、該識別部による該紙幣の識別および計数の結果に基づいて前記計数情報を生成する計数制御部とを有している
ことを特徴とする貨幣処理システム。
【請求項１０】
請求項１〜６のいずれか１項において、
前記第２貨幣処理装置は、
前記出金処理において出金された貨幣が投入される投入部と、
前記貨幣を排出する排出部と、
前記貨幣を搬送する搬送部と、
前記貨幣の識別と計数を行う識別部と、
前記計数処理において前記投入部から繰り出された貨幣が前記識別部において識別されて前記排出部に搬送されるように前記第２貨幣処理装置の動作を制御し、該識別部による該貨幣の識別および計数の結果に基づいて前記計数情報を生成する計数制御部とを有している
ことを特徴とする貨幣処理システム。
【請求項１１】
請求項１０において、
前記貨幣は、紙幣であり、
前記第２貨幣処理装置は、前記紙幣の表裏および天地方向の向きを選択的に反転させる反転部を有し、
前記計数制御部は、前記計数処理において前記投入部から繰り出されて前記識別部と前記反転部とを経由して前記排出部から排出される紙幣の表裏および天地方向の向きがそれぞれ所定の方向に揃うように前記第２貨幣処理装置の動作を制御する
ことを特徴とする貨幣処理システム。
【請求項１２】
貨幣が出金される出金処理と該出金処理において出金された貨幣が計数される計数処理とが行われる貨幣処理装置と、
前記出金処理において出金された貨幣の金種別の枚数を示す出金金額情報を含む出金情報と前記計数処理において計数された貨幣の金種別の枚数を示す計数金額情報を含む計数情報とを取得して該出金情報と該計数情報とを照合する再鑑制御部とを備えている
ことを特徴とする貨幣処理システム。
【請求項１３】
第１貨幣処理装置から貨幣を出金する出金ステップと、
前記出金ステップにおいて出金された貨幣を第２貨幣処理装置において計数する計数ステップと、
前記出金ステップにおいて出金された貨幣の金種別の枚数を示す出金金額情報を含む出金情報と前記計数ステップにおいて計数された貨幣の金種別の枚数を示す計数金額情報を含む計数情報とを取得して該出金情報と該計数情報とを照合する再鑑ステップとを備えている
ことを特徴とする貨幣処理方法。
【請求項１４】
貨幣処理装置から貨幣を出金する出金ステップと、
前記出金ステップにおいて出金された貨幣を前記貨幣処理装置において計数する計数ステップと、
前記出金ステップにおいて出金された貨幣の金種別の枚数を示す出金金額情報を含む出金情報と前記計数ステップにおいて計数された貨幣の金種別の枚数を示す計数金額情報を含む計数情報とを取得して該出金情報と該計数情報とを照合する再鑑ステップとを備えている
ことを特徴とする貨幣処理方法。
【発明の詳細な説明】
【技術分野】
【０００１】
ここに開示する技術は、貨幣処理技術に関する。
【背景技術】
【０００２】
従来、紙幣や硬貨などの貨幣を処理する貨幣処理装置が知られている。例えば、特許文献１には、装置内に収納している貨幣を装置外へ排出する出金処理を実行可能な貨幣処理装置が開示されている。
【先行技術文献】
【特許文献】
【０００３】
【特許文献１】特開２０１７−８４１８７号公報
【発明の概要】
【発明が解決しようとする課題】
【０００４】
ところで、貨幣処理装置から出金された貨幣の信憑性を担保するために、貨幣処理装置から出金された貨幣を改めて計数し直してから顧客に渡すという運用（いわゆる再鑑）が行われる場合がある。
【０００５】
再鑑では、貨幣処理装置の出金処理において出金された貨幣に対して計数処理（貨幣を計数するための処理）が行われる。この計数処理は、出金処理が行われた貨幣処理装置（例えば出納機）とは異なる貨幣処理装置（例えば計数機）で行われる場合もあれば、出金処理が行われた貨幣処理装置で行われる場合もある。また、再鑑では、例えば、貨幣処理装置の出金処理において出金レシート（出金処理において出金された貨幣の金種別の枚数が印字された出金レシート）が発行され、貨幣の再鑑を行う操作者は、出金レシートに印字された貨幣の金種別の枚数と計数処理により得られた結果（貨幣の金種別の枚数）とを目視で照合する。
【０００６】
このように、従来では、貨幣の再鑑が人手のみにより行われているので、貨幣の再鑑を行う操作者の負担が大きく、貨幣の確認ミスが生じる可能性がある。
【０００７】
そこで、ここに開示する技術は、貨幣の再鑑を行う操作者の負担を軽減することが可能な貨幣処理技術を提供することを目的とする。
【課題を解決するための手段】
【０００８】
ここに開示する技術は、貨幣処理システムに関し、この貨幣処理システムは、貨幣が出金される出金処理が行われる第１貨幣処理装置と、前記出金処理において出金された貨幣が計数される計数処理が行われる第２貨幣処理装置と、前記出金処理において出金された貨幣の金種別の枚数を示す出金金額情報を含む出金情報と前記計数処理において計数された貨幣の金種別の枚数を示す計数金額情報を含む計数情報とを取得して該出金情報と該計数情報とを照合する再鑑制御部とを備えている。
【０００９】
前記の構成では、再鑑制御部において出金情報と計数情報とを照合することにより、操作者による貨幣の再鑑をサポートすることができる。これにより、貨幣の再鑑を行う操作者の負担を軽減することができる。
【００１０】
前記再鑑制御部は、前記出金情報と前記計数情報とが不一致である場合に、該出金情報と該計数情報とが不一致であることを報知するための不一致報知情報を出力するように構成されていてもよい。
【００１１】
前記の構成では、出金情報と計数情報とが不一致である場合に不一致報知情報を出力することにより、出金情報と計数情報とが不一致であることを報知することができる。
【００１２】
前記再鑑制御部は、前記出金処理が完了した後に予め定められた処理時間が経過するまでの期間中に前記計数処理が開始されない場合に、該出金処理の後に該計数処理が正常に行われていないことを報知するための異常報知情報を出力するように構成されていてもよい。
【００１３】
前記の構成では、出金処理が完了してから処理時間が経過するまでの期間中に計数処理が開始されない場合に異常報知情報を出力することにより、出金処理の後に計数処理が正常に行われていないことを報知することができる。これにより、出金処理の後に計数処理をし忘れることを防止することができる。
【００１４】
または、前記再鑑制御部は、前記出金処理が完了した後に予め定められた処理時間が経過するまでの期間中に前記計数処理が完了しない場合に、該出金処理の後に該計数処理が正常に行われていないことを報知するための異常報知情報を出力するように構成されていてもよい。
【００１５】
前記の構成では、出金処理が完了してから処理時間が経過するまでの期間中に計数処理が完了しない場合に異常報知情報を出力することにより、出金処理の後に計数処理が正常に行われていないことを報知することができる。これにより、出金処理の後に計数処理をし忘れることを防止することができる。
【００１６】
前記貨幣には、該貨幣を識別するための識別番号が付されていてもよい。前記計数情報は、前記計数処理において計数された貨幣に付された識別番号を示す計数番号情報を含んでいてもよい。そして、前記再鑑制御部は、前記計数情報に含まれる計数番号情報に基づいて前記計数処理における前記貨幣の重複計数を検出するように構成されていてもよい。
【００１７】
前記の構成では、再鑑制御部において計数処理における貨幣の重複計数（１つの貨幣が複数回計数されること）を検出することにより、計数処理における操作ミスや不正（具体的には一度計数された貨幣を再度計数させるという操作ミスや不正）を発見することができる。
【００１８】
前記貨幣には、該貨幣を識別するための識別番号が付されていてもよい。前記出金情報は、前記出金処理において出金された貨幣に付された識別番号を示す出金番号情報を含んでいてもよい。前記計数情報は、前記計数処理において計数された貨幣に付された識別番号を示す計数番号情報を含んでいてもよい。そして、前記再鑑制御部は、前記出金情報に含まれる前記出金金額情報と前記計数情報に含まれる前記計数金額情報とを照合し、且つ、該出金情報に含まれる前記出金番号情報と該計数情報に含まれる前記計数番号情報とを照合するように構成されていてもよい。
【００１９】
前記の構成では、再鑑制御部において、出金金額情報と計数金額情報との照合と、出金番号情報と計数番号情報との照合とを行うことにより、出金金額情報と計数金額情報との照合のみが行われる場合よりも、出金情報と計数情報との照合の信頼性を向上させることができる。また、出金番号情報と計数番号情報との照合とを行うことにより、計数処理における操作ミスや不正（具体的には出金処理において出金された貨幣とは異なる貨幣を計数させるという操作ミスや不正）を発見することができる。
【００２０】
前記第１貨幣処理装置は、前記貨幣を収納する収納部と、前記貨幣を払い出す出金部と、前記貨幣を搬送する搬送部と、前記貨幣の識別と計数を行う識別部と、前記出金処理において前記収納部から搬送された貨幣が前記識別部において識別されて前記出金部に搬送されるように前記第１貨幣処理装置の動作を制御し、該識別部による該貨幣の識別および計数の結果に基づいて前記出金情報を生成する出金制御部とを有していてもよい。
【００２１】
前記第１貨幣処理装置は、前記貨幣を収納するように構成され、該貨幣の装填および取り出しを許可するアクセス許可状態と該貨幣の装填および取り出しを禁止するアクセス禁止状態とに切り換え可能に構成されたドロアと、操作者による操作が与えられる操作部と、前記出金処理において所定の操作に応答して前記ドロアがアクセス禁止状態からアクセス許可状態になるように前記第１貨幣処理装置の動作を制御し、該ドロアから取り出される該貨幣の金種別の枚数に基づいて前記出金情報を生成する出金制御部とを有していてもよい。
【００２２】
前記貨幣は、紙幣であってもよい。そして、前記第２貨幣処理装置は、前記出金処理において出金された紙幣が装填されるホルダと、前記ホルダに装填された紙幣を捲る捲り機構と、前記ホルダに装填された紙幣の識別と前記捲り機構により捲られた紙幣の計数とを行う識別部と、前記計数処理において前記ホルダに装填された紙幣が前記識別部より識別されて前記捲り機構により捲られ、該捲り機構により捲られた紙幣が該識別部により計数されるように前記第２貨幣処理装置の動作を制御し、該識別部による該紙幣の識別および計数の結果に基づいて前記計数情報を生成する計数制御部とを有していてもよい。
【００２３】
前記第２貨幣処理装置は、前記出金処理において出金された貨幣が投入される投入部と、前記貨幣を排出する排出部と、前記貨幣を搬送する搬送部と、前記貨幣の識別と計数を行う識別部と、前記計数処理において前記投入部から繰り出された貨幣が前記識別部において識別されて前記排出部に搬送されるように前記第２貨幣処理装置の動作を制御し、該識別部による該貨幣の識別および計数の結果に基づいて前記計数情報を生成する計数制御部とを有していてもよい。
【００２４】
前記貨幣は、紙幣であってもよい。前記第２貨幣処理装置は、前記紙幣の表裏および天地方向の向きを選択的に反転させる反転部を有していてもよい。そして、前記計数制御部は、前記計数処理において前記投入部から繰り出されて前記識別部と前記反転部とを経由して前記排出部から排出される紙幣の表裏および天地方向の向きがそれぞれ所定の方向に揃うように前記第２貨幣処理装置の動作を制御するように構成されていてもよい。
【００２５】
前記の構成では、紙幣の表裏および天地方向の向きがそれぞれ所定の方向に揃えられた状態で紙幣を排出することができる。これにより、紙幣の表裏および天地方向の向きをそれぞれ所定の方向に揃えるための作業を省略することができるので、操作者の負担を軽減することができる。
【００２６】
また、ここに開示する技術は、貨幣処理システムに関し、この貨幣処理システムは、貨幣が出金される出金処理と該出金処理において出金された貨幣が計数される計数処理とが行われる貨幣処理装置と、前記出金処理において出金された貨幣の金種別の枚数を示す出金金額情報を含む出金情報と前記計数処理において計数された貨幣の金種別の枚数を示す計数金額情報を含む計数情報とを取得して該出金情報と該計数情報とを照合する再鑑制御部とを備えている。
【００２７】
前記の構成では、再鑑制御部において出金情報と計数情報とを照合することにより、操作者による貨幣の再鑑をサポートすることができる。これにより、貨幣の再鑑を行う操作者の負担を軽減することができる。
【００２８】
また、ここに開示する技術は、貨幣処理方法に関し、この貨幣処理方法は、第１貨幣処理装置から貨幣を出金する出金ステップと、前記出金ステップにおいて出金された貨幣を第２貨幣処理装置において計数する計数ステップと、前記出金ステップにおいて出金された貨幣の金種別の枚数を示す出金金額情報を含む出金情報と前記計数ステップにおいて計数された貨幣の金種別の枚数を示す計数金額情報を含む計数情報とを取得して該出金情報と該計数情報とを照合する再鑑ステップとを備えている。
【００２９】
前記の方法では、再鑑ステップにおいて出金情報と計数情報とを照合することにより、操作者による貨幣の再鑑をサポートすることができる。これにより、貨幣の再鑑を行う操作者の負担を軽減することができる。
【００３０】
また、ここに開示する技術は、貨幣処理方法に関し、この貨幣処理方法は、貨幣処理装置から貨幣を出金する出金ステップと、前記出金ステップにおいて出金された貨幣を前記貨幣処理装置において計数する計数ステップと、前記出金ステップにおいて出金された貨幣の金種別の枚数を示す出金金額情報を含む出金情報と前記計数ステップにおいて計数された貨幣の金種別の枚数を示す計数金額情報を含む計数情報とを取得して該出金情報と該計数情報とを照合する再鑑ステップとを備えている。
【００３１】
前記の方法では、再鑑ステップにおいて出金情報と計数情報とを照合することにより、操作者による貨幣の再鑑をサポートすることができる。これにより、貨幣の再鑑を行う操作者の負担を軽減することができる。
【発明の効果】
【００３２】
以上のように、ここに開示する後術によれば、貨幣の再鑑を行う操作者の負担を軽減することができる。
【図面の簡単な説明】
【００３３】
【図１】実施形態１による貨幣処理システムの構成を例示する概略図である。
【図２】実施形態１の第１貨幣処理装置の構成を例示するブロック図である。
【図３】バラ紙幣処理部の構成を例示するブロック図である。
【図４】紙幣の天地方向について説明するための概略図である。
【図５】帯封紙幣処理部の構成を例示するブロック図である。
【図６】実施形態１の第２貨幣処理装置の構成を例示するブロック図である。
【図７】実施形態１の第２貨幣処理装置の要部の構成を例示する概略図である。
【図８】出金制御部の動作を説明するためのフローチャートである。
【図９】計数制御部の動作を説明するためのフローチャートである。
【図１０】再鑑制御部の動作を説明するためのフローチャートである。
【図１１】再鑑制御部の動作の変形例を説明するためのフローチャートである。
【図１２】実施形態２による貨幣処理システムの構成を例示する概略図である。
【図１３】実施形態２の第２貨幣処理装置の構成を例示する概略図である。
【図１４】実施形態３による貨幣処理システムの構成を例示する概略図である。
【図１５】実施形態３の第１貨幣処理装置の構成を例示するブロック図である。
【図１６】貨幣処理装置において行われる各種処理を例示する表である。
【発明を実施するための形態】
【００３４】
以下、実施の形態を図面を参照して詳しく説明する。なお、図中同一または相当部分には同一の符号を付しその説明は繰り返さない。
【００３５】
（実施形態１）
図１は、実施形態１による貨幣処理システム１の構成を例示している。貨幣処理システム１は、第１貨幣処理装置１０と、第２貨幣処理装置２０と、管理コンピュータ３０とを備えている。例えば、貨幣処理システム１は、銀行などの金融機関に設けられている。
【００３６】
〔第１貨幣処理装置〕
第１貨幣処理装置１０は、貨幣を処理する。第１貨幣処理装置１０では、貨幣が入金される入金処理や貨幣が出金される出金処理などの各種処理が行われる。この例では、第１貨幣処理装置１０は、出納機を構成している。
【００３７】
図１および図２に示すように、第１貨幣処理装置１０は、バラ紙幣処理部１００と、帯封紙幣処理部２００と、バラ硬貨処理部３０１と、包装硬貨処理部３０２と、有価媒体処理部３０３と、損貨記念貨処理部３０４と、貨幣保管部４００と、１つまたは複数（この例では２つ）の操作表示部１１と、操作部１２と、表示部１３と、１つまたは複数（この例では２つ）のプリンタ１４と、通信部１５と、記憶部１６と、制御部１７とを備えている。
【００３８】
〈バラ紙幣処理部〉
バラ紙幣処理部１００は、バラ紙幣（バラ状態の紙幣）を処理する。具体的には、バラ紙幣処理部１００は、バラ紙幣を入金する入金処理やバラ紙幣を出金する出金処理や帯封すべき紙幣を準備する帯封準備処理などの各種処理を行う。なお、紙幣には、紙幣を識別するための記番号（識別番号）が付されている。帯封紙幣は、所定枚数（例えば１００枚）の紙幣が帯封紙により帯封されて構成されている。また、バラ紙幣処理部１００については、後で詳しく説明する。
【００３９】
〈帯封紙幣処理部〉
帯封紙幣処理部２００は、帯封紙幣を処理する。具体的には、帯封紙幣処理部２００は、帯封紙幣を生成する帯封処理や帯封紙幣を出金する出金処理などの各種の処理を行う。なお、帯封紙幣処理部２００については、後で詳しく説明する。
【００４０】
〈バラ硬貨処理部〉
バラ硬貨処理部３０１は、バラ硬貨（バラ状態の硬貨）を処理する。具体的には、バラ硬貨処理部３０１は、バラ硬貨を入金する入金処理やバラ硬貨を出金する出金処理などの各種処理を行う。例えば、バラ硬貨処理部３０１は、バラ硬貨が投入される入金部や、バラ硬貨を払い出す硬貨出金部や、バラ硬貨を一時的に保留（収納）する硬貨一時保留部や、バラ硬貨を金種別に収納する硬貨収納部や、バラ硬貨を搬送する硬貨搬送部や、バラ硬貨の識別と計数を行う硬貨識別部などを備えている。
【００４１】
〈包装硬貨処理部〉
包装硬貨処理部３０２は、包装硬貨を処理する。具体的には、包装硬貨処理部３０２は、包装硬貨を生成する包装処理や包装硬貨を出金する出金処理などの各種処理を行う。なお、包装硬貨は、所定枚数（例えば５０枚）の硬貨が包装されて構成されている。例えば、包装硬貨処理部３０２は、所定枚数の硬貨を包装して包装硬貨を生成する包装部や、包装硬貨を金種別に収納する包装硬貨収納部や、包装硬貨を払い出す包装硬貨出金部や、包装硬貨を搬送する包装硬貨搬送部などを備えている。
【００４２】
〈有価媒体処理部〉
有価媒体処理部３０３は、有価媒体を処理する。具体的には、有価媒体処理部３０３は、有価媒体を受け付ける受付処理や有価媒体を払い出す払出処理などの各種処理を行う。例えば、有価媒体処理部３０３は、有価媒体が投入される有価媒体投入部や、有価媒体を払い出す有価媒体払出部や、有価媒体を一時的に保留（収納）する有価媒体一時保留部や、有価媒体を収納する有価媒体収納部や、有価媒体を搬送する有価媒体搬送部や、有価媒体を撮像して有価媒体の画像を取得する撮像部などを備えている。なお、有価媒体処理部３０３に投入される有価媒体は、例えば、損券や旧券や小切手や手形などバラ紙幣処理部１００において処理することができない紙葉類である。
【００４３】
〈損貨記念貨処理部〉
損貨記念貨処理部３０４は、損貨や記念貨などの硬貨（バラ硬貨処理部３０１において処理することができない硬貨）を処理する。具体的には、損貨記念貨処理部３０４は、損貨や記念貨を受け付ける受付処理などの各種処理を行う。例えば、損貨記念貨処理部３０４は、損貨や記念貨が投入される損貨記念貨投入部や、損貨を収納する損貨収納部や、記念貨を収納する記念貨収納部や、損貨および記念貨を識別する損貨記念貨識別部や、損貨を搬送する損貨搬送部や、記念貨を搬送する記念貨搬送部などを備えている。
【００４４】
〈貨幣保管部〉
貨幣保管部４００は、貨幣を保管する。具体的には、貨幣保管部４００は、貨幣を入金する入金処理や貨幣を出金する出金処理などの各種処理を行う。なお、貨幣保管部４００については、後で詳しく説明する。
【００４５】
〈操作表示部〉
操作表示部１１は、操作部１１ａと表示部１１ｂとを有している。例えば、操作表示部１１は、タッチパネルによって構成されている。操作部１１ａは、操作者による操作が与えられ、その操作者による操作に応じて情報を入力する。これにより、操作者は、操作部１１ａを操作して第１貨幣処理装置１０に各種処理を行わせることができる。すなわち、第１貨幣処理装置１０は、操作者による操作に応答して動作する。表示部１１ｂは、情報を表示する。
【００４６】
〈操作部と表示部〉
操作部１２は、操作者による操作が与えられ、その操作者による操作に応じて情報を入力する。この例では、操作者は、操作部１２を操作して貨幣保管部４００に各種処理を行わせることができる。すなわち、貨幣保管部４００は、操作者による操作に応答して動作する。表示部１３は、貨幣保管部４００に関する情報を表示する。
【００４７】
〈プリンタと通信部〉
プリンタ１４は、情報を印字媒体（例えばレシート）に印字する。通信部１５は、制御部１７が外部機器（例えばタブレット端末２やスマートフォン３や管理コンピュータ３０など）との間で有線通信または無線通信を行うために設けられている。
【００４８】
〈記憶部〉
記憶部１６は、情報を記憶する。記憶部１６には、第１貨幣処理装置１０における貨幣の処理状況に関する情報や、第１貨幣処理装置１０における貨幣の在高に関する情報や、操作表示部１１や表示部１３に表示される操作画面などの画像情報（画像データ）や、第１貨幣処理装置１０の動作を制御するための制御情報などが記憶されている。例えば、記憶部１６は、ハードディスクドライブやフラッシュメモリなどの汎用ストレージデバイスによって構成されている。
【００４９】
〈各種センサ〉
また、第１貨幣処理装置１０の各部には、貨幣の通貨を検知する通過センサなどの各種センサが設けられている。これらの各種センサによる検知結果（検知信号）は、制御部１７に送信される。
【００５０】
〈制御部〉
制御部１７は、第１貨幣処理装置１０の各部（この例ではバラ紙幣処理部１００と帯封紙幣処理部２００とバラ硬貨処理部３０１と包装硬貨処理部３０２と有価媒体処理部３０３と損貨記念貨処理部３０４と貨幣保管部４００と操作表示部１１と操作部１２と表示部１３とプリンタ１４と通信部１５と記憶部１６）と信号や情報を伝送可能に接続されている。また、制御部１７は、通信部１５を経由して外部機器と通信可能に構成されている。そして、制御部１７は、操作表示部１１および操作部１２に与えられた操作や、第１貨幣処理装置１０の各部（各部に設けられた各種センサを含む）および外部機器から受信した信号や情報などに基づいて、第１貨幣処理装置１０の各部を制御して第１貨幣処理装置１０の動作を制御する。例えば、制御部１７は、ＣＰＵなどの演算処理部や、演算処理部を動作させるためのプログラムや情報を記憶するメモリなどの記憶部などによって構成されている。
【００５１】
この例では、制御部１７は、出金制御部５１を有している。すなわち、この例では、出金制御部５１は、制御部１７の一部を構成している。なお、出金制御部５１については、後で詳しく説明する。
【００５２】
〔バラ紙幣処理部の詳細〕
図３に示すように、この例では、バラ紙幣処理部１００は、入金部１０１と、入金リジェクト部１０２と、一括一時保留部１０３と、複数（この例では４つ）の金種別一時保留部１０４と、一括紙幣収納部１０５と、複数（この例では４つ）の金種別紙幣収納部１０６（収納部）と、出金部１０７と、出金リジェクト部１０８と、複数（この例では２つ）の整理一時保留部１０９と、バラ紙幣搬送部１１０（搬送部）と、入金識別部１１１と、スイッチバック反転部１１２と、出金識別部１１３（識別部）と、スパイラル反転部１１４とを備えている。
【００５３】
入金部１０１には、投入された紙幣を集積する。入金部１０１には、入金部１０１に集積された紙幣を１枚ずつバラ紙幣搬送部１１０に繰り出す繰出部１０１ａが設けられている。入金リジェクト部１０２は、後述する入金処理において入金識別部１１１により正常であると識別されない紙幣（入金リジェクト紙幣）を集積する。
【００５４】
一括一時保留部１０３は、複数の金種の紙幣が混合状態で一時的に保留（収納）する。複数の金種別一時保留部１０４は、それぞれに割り当てられた金種の紙幣を一時的に保留（収納）する。
【００５５】
一括紙幣収納部１０５は、一括一時保留部１０３から送られた紙幣を収納する。一括紙幣収納部１０５には、一括紙幣収納部１０５に収納された紙幣を１枚ずつバラ紙幣搬送部１１０に繰り出す繰出部１０５ａが設けられている。複数の金種別紙幣収納部１０６は、複数の金種別一時保留部１０４から送られた紙幣をそれぞれ収納する。金種別紙幣収納部１０６には、金種別紙幣収納部１０６に収納された紙幣を１枚ずつバラ紙幣搬送部１１０に繰り出す繰出部１０６ａが設けられている。
【００５６】
出金部１０７は、紙幣を払い出す。出金リジェクト部１０８は、後述する出金処理および帯封準備処理において出金識別部１１３により正常であると識別されない紙幣（出金リジェクト紙幣）を集積する。複数の整理一時保留部１０９は、帯封紙幣処理部２００において帯封されるべき紙幣を集積する。
【００５７】
バラ紙幣搬送部１１０は、バラ紙幣処理部１００内において紙幣を搬送する。この例では、バラ紙幣搬送部１１０は、入金部１０１と入金リジェクト部１０２と一括一時保留部１０３と複数の金種別一時保留部１０４との間において紙幣を搬送する第１バラ紙幣搬送部１１０ａと、一括紙幣収納部１０５と複数の金種別紙幣収納部１０６と出金部１０７と出金リジェクト部１０８と複数の整理一時保留部１０９との間において紙幣を搬送する第２バラ紙幣搬送部１１０ｂと、それぞれが第１バラ紙幣搬送部１１０ａと第２バラ紙幣搬送部１１０ｂとを接続する第３バラ紙幣搬送部１１０ｃおよび第４バラ紙幣搬送部１１０ｄとを有している。
【００５８】
入金識別部１１１は、第１バラ紙幣搬送部１１０ａに設けられ、入金部１０１の下流側であり且つ入金リジェクト部１０２と一括一時保留部１０３と複数の金種別一時保留部１０４の上流側である位置に配置されている。そして、入金識別部１１１は、第１バラ紙幣搬送部１１０ａにより搬送される紙幣に対して識別動作と計数動作を行う。識別動作では、入金識別部１１１は、紙幣の金種、真偽、正損、新旧、方向（表裏と向き）、搬送状態、紙幣に付された記番号（識別番号）などを識別する。計数動作では、入金識別部１１１は、紙幣の枚数を金種毎に計数する。
【００５９】
スイッチバック反転部１１２は、第１バラ紙幣搬送部１１０ａに設けられ、入金識別部１１１の下流側であり且つ入金リジェクト部１０２と一括一時保留部１０３と複数の金種別一時保留部１０４の上流側である位置に配置されている。そして、スイッチバック反転部１１２は、第１バラ紙幣搬送部１１０ａにより搬送される紙幣の搬送幅方向（搬送方向と直交する方向）の向きが変わらないように紙幣の表裏を選択的に反転させる。
【００６０】
出金識別部１１３は、第２バラ紙幣搬送部１１０ｂに設けられ、一括紙幣収納部１０５と複数の金種別紙幣収納部１０６の下流側であり且つ出金部１０７と出金リジェクト部１０８と複数の整理一時保留部１０９の下流側である位置に配置されている。そして、出金識別部１１３は、第２バラ紙幣搬送部１１０ｂにより搬送される紙幣に対して識別動作と計数動作を行う。識別動作では、出金識別部１１３は、紙幣の金種、真偽、正損、新旧、方向（表裏と向き）、搬送状態、紙幣に付された記番号（識別番号）などを識別する。計数動作では、出金識別部１１３は、紙幣の枚数を金種毎に計数する。
【００６１】
スパイラル反転部１１４は、第２バラ紙幣搬送部１１０ｂに設けられ、出金識別部１１３の下流側であり且つ出金部１０７と出金リジェクト部１０８と複数の整理一時保留部１０９の上流側である位置に配置されている。そして、スパイラル反転部１１４は、第２バラ紙幣搬送部１１０ｂにより搬送される紙幣の搬送幅方向（搬送方向と直交する方向）の向きが変わるように紙幣の表裏を選択的に反転させる。
【００６２】
〈出金処理〉
バラ紙幣処理部１００における出金処理では、複数の金種別紙幣収納部１０６のいずれかに収納された紙幣が第２バラ紙幣搬送部１１０ｂに繰り出されて出金識別部１１３に搬送され、出金識別部１１３において識別される。出金識別部１１３において正常であると識別された紙幣は、スパイラル反転部１１４を経由して出金部１０７に搬送されて払い出される。一方、出金識別部１１３において正常であると識別されない紙幣は、スパイラル反転部１１４を経由して出金リジェクト部１０８に搬送されてリジェクトされる。
【００６３】
〈帯封準備処理〉
バラ紙幣処理部１００における帯封準備処理では、複数の金種別紙幣収納部１０６のいずれかに収納された紙幣が第２バラ紙幣搬送部１１０ｂに繰り出されて出金識別部１１３に搬送され、出金識別部１１３において識別される。出金識別部１１３において正常であると識別された紙幣は、スパイラル反転部１１４を経由して整理一時保留部１０９に搬送されて集積される。一方、出金識別部１１３において正常であると識別されない紙幣は、スパイラル反転部１１４を経由して出金リジェクト部１０８に搬送されてリジェクトされる。
【００６４】
〈紙幣の表裏および天地方向の向き〉
この例では、バラ紙幣処理部１００の出金処理において、出金部１０７から払い出される紙幣の表裏および天地方向がそれぞれ所定の方向に揃うように第１貨幣処理装置１０（具体的にはバラ紙幣処理部１００）の動作が制御される。なお、図４に示すように、紙幣の天地方向とは、紙幣に描かれた肖像画を基準とした上下の方向である。すなわち、この例では、第１貨幣処理装置１０の出金処理において出金される紙幣（バラ紙幣）は、その表裏および天地方向の向きがそれぞれ所定の方向に揃えられている。
【００６５】
これと同様に、この例では、バラ紙幣処理部１００の帯封準備処理において、整理一時保留部１０９に集積される紙幣の表裏および天地方向がそれぞれ所定の方向に揃うように第１貨幣処理装置１０（具体的にはバラ紙幣処理部１００）の動作が制御される。
【００６６】
〔帯封紙幣処理部の詳細〕
図５に示すように、この例では、帯封紙幣処理部２００は、アーム部２０１と、テープセット部２０２と、帯封部２０３と、出金部２０４と、投出部２０５と、複数（この例では５つ）の帯封紙幣収納部２０６（収納部）と、帯封紙幣搬送部２０７（搬送部）と、帯封紙幣識別部２０８（識別部）を備えている。
【００６７】
アーム部２０１は、バラ紙幣処理部１００の整理一時保留部１０９に集積された所定枚数の紙幣を取り出して帯封部２０３に搬送する。テープセット部２０２は、所定枚数（例えば１００枚）の紙幣を帯封するための帯封紙を帯封部２０３に送る。帯封部２０３は、アーム部２０１により搬送された所定枚数の紙幣をテープセット部２０２から送られた帯封紙で帯封する。これにより、帯封紙幣が生成される。
【００６８】
出金部２０４は、帯封紙幣を払い出す。投出部２０５は、帯封紙幣を投出する。複数の帯封紙幣収納部２０６は、それぞれに割り当てられた金種の帯封紙幣を収納する。また、帯封紙幣収納部２０６には、帯封紙幣収納部２０６に収納された帯封紙幣を帯封紙幣搬送部２０７に１束ずつ送り出す駆動部２０６ａが設けられている。
【００６９】
帯封紙幣搬送部２０７は、帯封紙幣処理部２００内において帯封紙幣を搬送する。この例では、帯封紙幣搬送部２０７は、帯封部２０３と出金部２０４との間において帯封紙幣を搬送する第１帯封紙幣搬送部２０７ａと、出金部２０４と複数の帯封紙幣収納部２０６との間において帯封紙幣を搬送する第２帯封紙幣搬送部２０７ｂと、第２帯封紙幣搬送部２０７ｂと投出部２０５との間において帯封紙幣を搬送するリフト部２０７ｃとを有している。
【００７０】
帯封紙幣識別部２０８は、第２帯封紙幣搬送部２０７ｂに設けられ、第２帯封紙幣搬送部２０７ｂにより搬送される紙幣に対して識別動作と計数動作を行う。識別動作では、帯封紙幣識別部２０８は、帯封紙幣の金種、真偽、正損、新旧、方向（表裏と向き）、搬送状態、帯封状態、帯封紙幣の端面（上面または下面）を構成する紙幣に付された記番号（識別番号）などを識別する。計数動作では、帯封紙幣識別部２０８は、帯封紙幣の束数を金種毎に計数する。
【００７１】
〈帯封処理〉
帯封紙幣処理部２００における帯封処理では、帯封部２０３において生成された帯封紙幣が第１帯封紙幣搬送部２０７ａに繰り出される。第１帯封紙幣搬送部２０７ａに繰り出された紙幣は、出金部２０４を経由して帯封紙幣識別部２０８に搬送されて識別され、帯封紙幣識別部２０８による識別の結果に応じて複数の帯封紙幣収納部２０６のいずれかに搬送されて収納される。
【００７２】
〈出金処理〉
帯封紙幣処理部２００における出金処理では、複数の帯封紙幣収納部２０６のいずれかに収納された帯封紙幣が第２帯封紙幣搬送部２０７ｂに送り出されて帯封紙幣識別部２０８に搬送され、帯封紙幣識別部２０８おいて識別される。帯封紙幣識別部２０８において識別された帯封紙幣は、出金部２０４に搬送されて払い出される。
【００７３】
〈帯封紙幣を構成する紙幣の表裏および天地方向〉
また、この例では、帯封準備処理において整理一時保留部１０９に集積される紙幣の表裏と天地方向の向きがそれぞれ所定の方向に揃えられているので、帯封処理において帯封紙幣収納部２０６に収納される帯封紙幣を構成する所定枚数の紙幣は、それぞれの表裏と天地方向の向きがそれぞれ所定の方向に揃えられている。そのため、この例では、出金処理において出金部２０４から払い出される帯封紙幣を構成する所定枚数の紙幣は、それぞれの表裏と天地方向の向きがそれぞれ所定の方向に揃えられている。すなわち、この例では、第１貨幣処理装置１０の出金処理において出金される紙幣（帯封紙幣を構成する紙幣）は、その表裏および天地方向の向きがそれぞれ所定の方向に揃えられている。
【００７４】
〔貨幣保管部の詳細〕
図１に示すように、この例では、貨幣保管部４００は、複数（この例では５つ）のドロア４０１を有している。ドロア４０１は、貨幣を収納するように構成され、貨幣の装填および取り出しを許可するアクセス許可状態と、貨幣の装填および取り出しを禁止するアクセス禁止状態とに切り換え可能に構成されている。例えば、アクセス禁止状態では、ドロア４０１のロック機構（図示を省略）が施錠状態となってドロア４０１が施錠され、アクセス許可状態では、ドロア４０１のロック機構が解錠状態となってドロア４０１が解錠される。
【００７５】
なお、ドロア４０１のアクセス許可状態とアクセス禁止状態の切り換えと、ドロア４０１の開放状態（貨幣保管部４００から引き出された状態）と閉鎖状態（貨幣保管部４００内に収納された状態）の切り換えとが互いに連動していてもよい。例えば、ドロア４０１は、アクセス禁止状態からアクセス許可状態に切り換えられることで閉鎖状態から開放状態に自動的に切り換えられるように構成されていてもよい。また、ドロア４０１は、開放状態から閉鎖状態に切り換えられることでアクセス許可状態からアクセス禁止状態に自動的に切り換えられるように構成されていてもよい。
【００７６】
〈出金処理〉
貨幣保管部４００の出金処理では、所定の操作（出金処理を開始するための出金操作）が操作部１２に与えられ、複数のドロア４０１のうち所定のドロア４０１（例えば出金操作により指定されたドロア４０１）が所定の操作に応答してアクセス禁止状態からアクセス許可状態に切り換えられる。そして、操作者は、アクセス許可状態のドロア４０１から貨幣を取り出す。そして、アクセス許可状態のドロア４０１からの貨幣の取り出しが完了すると、そのドロア４０１がアクセス許可状態からアクセス禁止状態に切り換えられる。
【００７７】
なお、所定の操作（出金操作）により出金すべき貨幣の金種別の枚数が指定されてもよい。この場合、複数のドロア４０１のうち出金操作により指定された金種の貨幣を収納しているドロア４０１がアクセス禁止状態からアクセス許可状態に切り換えられるようになっていてもよい。
【００７８】
〔第２貨幣処理装置〕
第２貨幣処理装置２０は、貨幣を処理する。第２貨幣処理装置２０では、第１貨幣処理装置１０の出金処理において出金された貨幣が計数される計数処理などの各種処理が行われる。
【００７９】
図１および図６に示すように、この例では、第２貨幣処理装置２０は、紙幣を計数するバキューム式紙幣計数機を構成している。具体的には、第２貨幣処理装置２０は、ホルダ５０１と、捲り機構５０２と、識別部５０３と、操作部２１と、表示部２２と、通信部２３と、記憶部２４と、制御部２５とを備えている。
【００８０】
〈ホルダと捲り機構と識別部〉
ホルダ５０１には、複数枚の紙幣が装填される。捲り機構５０２は、ホルダ５０１に装填された複数枚の紙幣を捲るように構成されている。識別部５０３は、ホルダ５０１に装填された紙幣に対して識別動作を行い、捲り機構５０２により捲られる紙幣に対して計数動作を行う。識別動作では、識別部５０３は、紙幣の金種、真偽、正損、新旧、紙幣に付された記番号（識別番号）などを識別する。計数動作では、識別部５０３は、紙幣の枚数を金種別に計数する。
【００８１】
〈操作部と表示部と通信部〉
操作部２１は、操作者による操作が与えられ、その操作者による操作に応じて情報を入力する。この例では、操作者は、操作部２１を操作して第２貨幣処理装置２０に各種処理を行わせることができる。すなわち、第２貨幣処理装置２０は、操作者による操作に応答して動作する。表示部２２は、情報を表示する。通信部２３は、制御部２５が外部機器（例えばタブレット端末２やスマートフォン３や管理コンピュータ３０など）との間で有線通信または無線通信を行うために設けられている。
【００８２】
〈記憶部〉
記憶部２４は、情報を記憶する。記憶部２４には、第２貨幣処理装置２０における貨幣の処理状況に関する情報や、第２貨幣処理装置２０における貨幣の在高に関する情報や、表示部２２に表示される操作画面などの画像情報（画像データ）や、第２貨幣処理装置２０の動作を制御するための制御情報などが記憶されている。例えば、記憶部２４は、ハードディスクドライブやフラッシュメモリなどの汎用ストレージデバイスによって構成されている。
【００８３】
また、この例では、記憶部２４には、出金情報と計数情報とが記憶される。出金情報と計数情報については、後で詳しく説明する。
【００８４】
〈制御部〉
制御部２５は、第２貨幣処理装置２０の各部（この例ではホルダ５０１と捲り機構５０２と識別部５０３と操作部２１と表示部２２と通信部２３と記憶部２４）と信号や情報を伝送可能に接続されている。また、制御部２５は、通信部２３を経由して外部機器と通信可能に構成されている。そして、制御部２５は、操作部２１に与えられた操作や、第２貨幣処理装置２０の各部（各部に設けられた各種センサを含む）および外部機器から受信した信号や情報などに基づいて、第２貨幣処理装置２０の各部を制御して第２貨幣処理装置２０の動作を制御する。例えば、制御部２５は、ＣＰＵなどの演算処理部や、演算処理部を動作させるためのプログラムや情報を記憶するメモリなどの記憶部などによって構成されている。
【００８５】
この例では、制御部２５は、計数制御部５２と再鑑制御部５３とを有している。すなわち、この例では、計数制御部５２と再鑑制御部５３は、制御部２５の一部を構成している。なお、計数制御部５２については、後で詳しく説明する。
【００８６】
〔ホルダと捲り機構と識別部の詳細〕
図７に示すように、捲り機構５０２は、ロータ５２１と、ロータ５２１に回転可能に設けられた複数（この例では５つ）の吸引軸５２２と、紙幣押さえ棒５２３と、ストッパ５２４とを有している。識別部５０３は、発光器５３１と、受光器５３２とを有している。例えば、発光器５３１は、ＬＥＤより構成され、受光器５３２は、ＣＣＤカメラにより構成されている。そして、第２貨幣処理装置２０の計数処理では、ホルダ５０１と捲り機構５０２と識別部５０３は、次のように動作する。
【００８７】
〈計数処理〉
第２貨幣処理装置２０の計数処理では、ホルダ５０１に装填された紙幣（出金処理において出金された紙幣）が識別部５０３より識別されて捲り機構５０２により捲られ、捲り機構５０２により捲られた紙幣が識別部５０３により計数されるように、第２貨幣処理装置２０の動作が制御される。なお、第１貨幣処理装置１０のバラ紙幣処理部１００において出金処理が行われた場合には、バラ紙幣処理部１００から出金されたバラ紙幣がホルダ５０１に装填され、第１貨幣処理装置１０の帯封紙幣処理部２００において出金処理が行われた場合には、帯封紙幣処理部２００から出金された帯封紙幣がホルダ５０１に装填される。
【００８８】
具体的には、第２貨幣処理装置２０の計数処理では、紙幣装填位置に配置されたホルダ５０１に対する紙幣（出金処理において出金された紙幣）の装填が完了すると、ホルダ５０１が紙幣装填位置から計数開始位置（図７に示した位置）に移動する。この計数開始位置において、ホルダ５０１は、ホルダ５０１に装填された紙幣（複数枚の紙幣が装填されている場合は複数枚の紙幣のうち最前部に位置して吸引軸５２２と対向する紙幣、以下同様）の長手方向の端部が吸引軸５２２に接触するようにバネなどの付勢部材（図示を省略）により付勢される。紙幣押さえ棒５２３は、紙幣を１枚ずつ捲り取ることを容易にするために設けられている。
【００８９】
次に、吸引軸５２２に連結された真空ポンプ（図示を省略）が起動して吸引軸５２２の内部の吸引圧が上昇する。そして、ホルダ５０１に装填された紙幣の端部が吸引軸５２２の吸引口と接触することで吸引軸５２２の吸引口が塞がれて吸引軸５２２の内部の吸引圧が所定値を上回ると、ロータ５２１が回転して吸引軸５２２が紙幣の端部を吸引しながら自転しつつロータ５２１の軸心を中心として公転する。これにより、紙幣が捲り取られて位置Ｐ１まで移動する。識別部５０３は、捲り取られた紙幣の枚数を計数する。
【００９０】
また、ホルダ５０１に装填された紙幣の端部が吸引軸５２２の吸引口と接触することで吸引軸５２２の吸引口が塞がれると、発光器５３１から紙幣の端部へ向けて光線が照射され、紙幣の端部で反射した光線が受光器５３２により受光される。これにより、ホルダ５０１に装填された紙幣の画像が取得され、その取得された紙幣の画像に基づいて識別動作（紙幣の金種や記番号の識別など）が行われる。なお、この例では、ホルダ５０１に装填された紙幣の左右方向（搬送幅方向に対応）の向きおよび天地方向の向きがそれぞれ所定の方向に揃えられている場合に、紙幣に付された記番号（識別番号）を識別することができる。
【００９１】
また、紙幣の異常が識別されると、ストッパ５２４が起動し、ストッパ５２４の先端がホルダ５０１に装填された紙幣の端部を押さえ付ける。これにより、吸引軸５２２による紙幣（ホルダ５０１に装填された紙幣）の端部の吸引が阻止される。
【００９２】
〔管理コンピュータ〕
管理コンピュータ３０は、貨幣処理システム１の各部（この例では第１貨幣処理装置１０と第２貨幣処理装置２０）を管理する。この例では、管理コンピュータ３０は、操作部３１と、表示部３２と、通信部３３と、記憶部３４と、制御部３５とを備えている。
【００９３】
〈操作部と表示部と通信部〉
操作部３１は、操作者による操作が与えられ、その操作者による操作に応じて情報を入力する。この例では、操作者は、操作部３１を操作して管理コンピュータ３０に各種処理を行わせることができる。すなわち、管理コンピュータ３０は、操作者による操作に応答して動作する。表示部３２は、情報を表示する。通信部３３は、制御部３５が外部機器（例えばタブレット端末２やスマートフォン３や第１貨幣処理装置１０や第２貨幣処理装置２０など）との間で有線通信または無線通信を行うために設けられている。
【００９４】
〈記憶部〉
記憶部３４は、情報を記憶する。記憶部３４には、貨幣処理システム１における貨幣の処理状況に関する情報や、貨幣処理システム１における貨幣の在高に関する情報や、表示部３２に表示される操作画面などの画像情報（画像データ）や、管理コンピュータ３０の動作を制御するための制御情報などが記憶されている。例えば、記憶部３４は、ハードディスクドライブやフラッシュメモリなどの汎用ストレージデバイスによって構成されている。
【００９５】
〈制御部〉
制御部３５は、管理コンピュータ３０の各部（この例では操作部３１と表示部３２と通信部３３と記憶部３４）と信号や情報を伝送可能に接続されている。また、制御部３５は、通信部３３を経由して外部機器と通信可能に構成されている。そして、制御部３５は、操作部３１に与えられた操作や、管理コンピュータ３０の各部および外部機器から受信した信号や情報などに基づいて、管理コンピュータ３０の各部を制御して管理コンピュータ３０の動作を制御する。例えば、制御部３５は、ＣＰＵなどの演算処理部や、演算処理部を動作させるためのプログラムや情報を記憶するメモリなどの記憶部などによって構成されている。
【００９６】
〔出金制御部〕
第１貨幣処理装置１０の出金制御部５１は、貨幣が出金される出金処理が行われるように第１貨幣処理装置１０の動作を制御する。具体的には、出金制御部５１は、第１貨幣処理装置１０の出金処理において、収納部から搬送された貨幣が識別部において識別されて出金部に搬送されるように、第１貨幣処理装置１０の動作を制御する。そして、出金制御部５１は、識別部による貨幣の識別および計数の結果に基づいて出金情報を生成する。この例では、出金情報は、出金処理において出金された貨幣の金種別の枚数を示す出金金額情報と、出金処理において出金された貨幣に付された識別番号を示す出金番号情報とを含んでいる。なお、この例では、バラ紙幣処理部１００において出金処理が行われる場合と、帯封紙幣処理部２００において出金処理が行われる場合とがある。
【００９７】
バラ紙幣処理部１００において出金処理が行われる場合、出金制御部５１は、出金処理において金種別紙幣収納部１０６（収納部）から搬送された紙幣（貨幣）が出金識別部１１３（識別部）において識別されて出金部１０７（出金部）に搬送されるように、第１貨幣処理装置１０の動作を制御する。そして、出金制御部５１は、出金識別部１１３による紙幣の識別および計数の結果に基づいて出金情報を生成する。この出金情報は、出金処理において出金された紙幣の金種別の枚数を示す出金金額情報と、出金処理において出金された紙幣に付された記番号を示す出金番号情報とを含んでいる。
【００９８】
また、帯封紙幣処理部２００において出金処理が行われる場合、出金制御部５１は、出金処理において帯封紙幣収納部２０６（収納部）から搬送され帯封紙幣（貨幣）が帯封紙幣識別部２０８（識別部）において識別されて出金部２０４（出金部）に搬送されるように、第１貨幣処理装置１０の動作を制御する。そして、出金制御部５１は、帯封紙幣識別部２０８による帯封紙幣の識別および計数の結果に基づいて出金情報を生成する。この出金情報は、出金処理において出金された帯封紙幣の金種別の枚数を示す出金金額情報と、出金処理において出金された帯封紙幣の端面（上面または下面）を構成する紙幣に付された記番号を示す出金番号情報とを含んでいる。
【００９９】
〔計数制御部〕
第２貨幣処理装置２０の計数制御部５２は、出金処理において出金された貨幣が計数される計数処理が行われるように第２貨幣処理装置２０の動作を制御する。この例では、計数制御部５２は、第２貨幣処理装置２０の計数処理において、ホルダ５０１に装填された紙幣が識別部５０３より識別されて捲り機構５０２により捲られ、捲り機構５０２により捲られた紙幣が識別部５０３により計数されるように、第２貨幣処理装置２０の動作を制御する。そして、計数制御部５２は、識別部５０３による紙幣の識別および計数の結果に基づいて計数情報を生成する。この例では、計数情報は、計数処理において計数された紙幣（貨幣）の金種別の枚数を示す計数金額情報と、計数処理において計数された紙幣（貨幣）に付された記番号（識別番号）を示す計数番号情報とを含んでいる。
【０１００】
〔再鑑制御部〕
再鑑制御部５３は、出金制御部５１により生成された出金情報と計数制御部５２により生成された計数情報とを取得し、その取得された出金情報と計数情報とを照合する。この例では、再鑑制御部５３は、出金情報に含まれる出金金額情報と計数情報に含まれる計数金額情報とを照合し、且つ、出金情報に含まれる出金番号情報と計数情報に含まれる計数番号情報とを照合する。そして、再鑑制御部５３は、出金情報と計数情報とが不一致である場合に、出金情報と計数情報とが不一致であることを報知するための情報（不一致報知情報）を出力する。
【０１０１】
また、再鑑制御部５３は、計数情報に含まれる計数番号情報に基づいて計数処理における貨幣の重複計数を検出する。なお、貨幣の重複計数は、計数処理において１つの貨幣が複数回計数されることを意味している。そして、再鑑制御部５３は、計数処理における貨幣の重複計数を検出すると、計数処理において貨幣の重複計数が行われていたことを報知するための情報（重複報知情報）を出力する。
【０１０２】
また、再鑑制御部５３は、出金処理が完了した後に予め定められた処理時間が経過するまでの期間中に計数処理が開始されない場合に、出金処理の後に計数処理が正常に行われていないことを報知するための情報（異常報知情報）を出力する。
【０１０３】
〔出金制御部の動作〕
次に、図８を参照して、出金制御部５１の動作について説明する。以下では、第１貨幣処理装置１０のバラ紙幣処理部１００において出金処理が行われる場合を例に挙げて説明する。
【０１０４】
〈ステップＳ１１〉
まず、出金制御部５１は、出金処理を開始するための操作（出金操作）が第１貨幣処理装置１０の操作表示部１１（または操作部１２）に与えられたか否かを判定する。出金操作では、出金処理において出金すべき紙幣（貨幣）の金種別の枚数が指定される。出金操作が与えられると、ステップＳ１２へ進む。
【０１０５】
〈ステップＳ１２〉
次に、出金制御部５１は、出金操作に応答してバラ紙幣処理部１００において出金処理が行われるようにバラ紙幣処理部１００の動作を制御する。これにより、バラ紙幣処理部１００では、金種別紙幣収納部１０６から搬送された紙幣が出金識別部１１３において識別され、その後、出金部１０７に搬送されて払い出される。そして、出金操作により指定された金種別の枚数の紙幣がバラ紙幣処理部１００から出金されると、出金処理が完了する。出金操作をした操作者は、第２貨幣処理装置２０において計数処理を行うために、バラ紙幣処理部１００から出金された紙幣を第２貨幣処理装置２０に運ぶ。
【０１０６】
〈ステップＳ１３〉
出金処理が完了すると、出金制御部５１は、出金識別部１１３による紙幣の識別および計数の結果に基づいて出金情報を生成する。この例では、出金処理が完了すると、出金制御部５１は、出金情報を生成し、その生成された出金情報を再鑑制御部５３に送信し、再鑑制御部５３は、出金制御部５１から送信された出金情報を受信して取得する。
【０１０７】
〔計数制御部の動作〕
次に、図９を参照して、計数制御部５２の動作について説明する。以下では、第１貨幣処理装置１０のバラ紙幣処理部１００の出金処理において出金された紙幣に対して計数処理が行われる場合を例に挙げて説明する。
【０１０８】
〈ステップＳ２１〉
計数制御部５２は、計数処理を開始するための操作（計数操作）が第２貨幣処理装置２０の操作部２１に与えられた否かを判定する。計数操作が与えられると、ステップＳ２２へ進む。この例では、バラ紙幣処理部１００から出金された紙幣を運んできた操作者は、第２貨幣処理装置２０において計数処理を行うために、第２貨幣処理装置２０のホルダ５０１に紙幣を装填して計数操作を第２貨幣処理装置２０の操作部２１に与える。
【０１０９】
〈ステップＳ２２〉
次に、計数制御部５２は、計数操作に応答して第２貨幣処理装置２０において計数処理が行われるように第２貨幣処理装置２０の動作を制御する。この例では、ホルダ５０１に装填された紙幣が識別部５０３より識別されて捲り機構５０２により捲られ、捲り機構５０２により捲られた紙幣が識別部５０３により計数される。そして、ホルダ５０１に装填された紙幣の全部に対して識別部５０３による識別と計数が行われると、計数処理が完了する。
【０１１０】
〈ステップＳ２３〉
計数処理が完了すると、計数制御部５２は、識別部５０３による紙幣の識別および計数の結果に基づいて計数情報を生成する。この例では、計数処理が完了すると、計数制御部５２は、計数情報を生成し、再鑑制御部５３は、計数制御部５２により生成された計数情報を取得する。
【０１１１】
〔再鑑制御部の動作〕
次に、図１０を参照して、再鑑制御部５３の動作について説明する。以下では、第１貨幣処理装置１０のバラ紙幣処理部１００の出金処理において出金された紙幣に対して第２貨幣処理装置２０における計数処理が行われる場合を例に挙げて説明する。
【０１１２】
〈ステップＳ３１〉
まず、再鑑制御部５３は、出金制御部５１により生成された出金情報が取得されたか否かを判定する。この例では、再鑑制御部５３は、第１貨幣処理装置１０に設けられた出金制御部５１から送信された出金情報を受信した否かを判定する。なお、バラ紙幣処理部１００における出金処理が完了すると、出金情報が出金制御部５１から再鑑制御部５３へ送信される。すなわち、再鑑制御部５３は、バラ紙幣処理部１００における出金処理が完了したか否かを判定する。そして、出金情報が取得されると、ステップＳ３１へ進む。
【０１１３】
また、再鑑制御部５３は、出金情報が取得される（すなわち出金処理が完了する）と、経過時間の計測を開始する。また、再鑑制御部５３は、その取得された出金情報を第２貨幣処理装置２０の記憶部２４に記憶する。
【０１１４】
〈ステップＳ３２〉
次に、再鑑制御部５３は、出金情報が取得された時点（すなわち出金処理が完了した時点）から予め定められた処理時間が経過しているか否かを判定する。出金情報が取得された時点から処理時間が経過していない場合には、ステップＳ３３へ進み、そうでない場合には、ステップＳ４０へ進む。
【０１１５】
〈ステップＳ３３〉
出金情報が取得された時点から処理時間が経過していない場合、再鑑制御部５３は、第２貨幣処理装置２０において計数処理が開始されているか否かを判定する。この例では、再鑑制御部５３は、第２貨幣処理装置２０の操作部２１に計数操作が与えられているか否かを判定する。第２貨幣処理装置２０において計数処理が開始されている場合には、ステップＳ３４へ進み、そうでない場合には、ステップＳ３２へ進む。
【０１１６】
〈ステップＳ３４〉
出金情報が取得された時点（すなわち出金処理が完了した時点）から処理時間が経過するまでの期間中に計数処理が開始されている場合、再鑑制御部５３は、第２貨幣処理装置２０における計数処理が完了するまで待機する。そして、第２貨幣処理装置２０における計数処理が完了すると、再鑑制御部５３は、計数制御部５２により生成された計数情報を取得する。また、再鑑制御部５３は、その取得された計数情報を第２貨幣処理装置２０の記憶部２４に記憶する。
【０１１７】
〈ステップＳ３５〉
次に、再鑑制御部５３は、計数情報に含まれる計数番号情報に基づいて、計数処理において紙幣の重複計数（１つの紙幣が複数回計数されること）が行われていたか否かを判定する。具体的には、再鑑制御部５３は、計数番号情報に示された複数の紙幣の記番号（識別番号）の中に同一の記番号が２つ以上ある場合に、計数処理において紙幣の重複計数が行われていたと判定する。計数処理において紙幣の重複計数が行われていない場合には、ステップＳ３６へ進み、そうでない場合には、ステップＳ３９へ進む。
【０１１８】
〈ステップＳ３６〉
次に、再鑑制御部５３は、出金情報と計数情報とを照合し、出金情報と計数情報とが一致しているか否かを判定する。この例では、再鑑制御部５３は、出金情報に含まれる出金金額情報に示された紙幣の金種別の枚数と計数情報に含まれる計数金額情報に示された紙幣の金種別の枚数とが一致するか否かを判定する金額判定と、出金情報に含まれる出金番号情報に示された紙幣の記番号と計数情報に含まれ計数番号情報に示された紙幣の記番号とが一致するか否かを判定する番号判定とを行う。そして、再鑑制御部５３は、金額判定および番号判定の両方において一致と判定された場合に出金情報と計数情報とが一致していると判定し、金額判定および番号判定の少なくとも一方において不一致と判定された場合に出金情報と計数情報とが不一致であると判定する。出金情報と計数情報とが一致している場合には、ステップＳ３７へ進み、そうでない場合には、ステップＳ３８へ進む。
【０１１９】
〈ステップＳ３７〉
次に、再鑑制御部５３は、第２貨幣処理装置２０の記憶部２４に記憶された出金情報と計数情報とを消去する。これにより、再鑑制御部５３による再鑑が完了する。
【０１２０】
〈ステップＳ３８〉
一方、ステップＳ３６において、出金情報と計数情報とが不一致であると判定された場合、再鑑制御部５３は、出金情報と計数情報とが不一致であることを報知するための情報（不一致報知情報）を出力する。例えば、再鑑制御部５３は、第２貨幣処理装置２０の表示部２２に不一致報知情報を出力することで表示部２２に不一致報知情報の表示をさせるように構成されていてもよいし、第２貨幣処理装置２０に設けられた音声再生部（図示を省略）に不一致報知情報を出力することで音声再生部に不一致報知情報の音声出力をさせるように構成されていてもよい。また、再鑑制御部５３は、管理コンピュータ３０やタブレット端末２やスマートフォン３などの外部機器に不一致報知情報を出力することで出金情報と計数情報とが不一致であることを外部機器の操作者（例えば役席者や出納係員など）に報知するように構成されていてもよい。また、再鑑制御部５３は、金融機関などの施設の窓口に設置された窓口端末（図示を省略）に不一致報知情報を出力することで出金情報と計数情報とが不一致であることを窓口端末の操作者（例えば窓口係員など）に報知するように構成されていてもよい。
【０１２１】
〈ステップＳ３９〉
また、ステップＳ３５において、計数処理において紙幣の重複計数が行われていたと判定された場合、再鑑制御部５３は、計数処理において紙幣の重複計数が行われていたことを報知するための情報（重複報知情報）を出力する。例えば、再鑑制御部５３は、不一致報知情報と同様に、重複報知情報を第２貨幣処理装置２０の表示部２２や音声再生部（図示を省略）に出力するように構成されていてもよいし、重複報知情報を管理コンピュータ３０やタブレット端末２やスマートフォン３などの外部機器や窓口端末（図示を省略）に出力するように構成されていてもよい。
【０１２２】
〈ステップＳ４０〉
また、ステップＳ３２において出金情報が取得された時点から処理時間が経過していると判定された場合（すなわち出金処理が完了した後に処理時間が経過するまでの期間中に計数処理が開始されない場合）、再鑑制御部５３は、出金処理の後に計数処理が正常に行われていないことを報知するための情報（異常報知情報）を出力する。例えば、再鑑制御部５３は、不一致報知情報と同様に、異常報知情報を第２貨幣処理装置２０の表示部２２や音声再生部（図示を省略）に出力するように構成されていてもよいし、異常報知情報を管理コンピュータ３０やタブレット端末２やスマートフォン３などの外部機器や窓口端末（図示を省略）に出力するように構成されていてもよい。
【０１２３】
〔実施形態１による効果〕
以上のように、再鑑制御部５３において出金情報と計数情報とを照合することにより、操作者による貨幣の再鑑をサポートすることができる。これにより、貨幣の再鑑を行う操作者の負担を軽減することができる。
【０１２４】
また、出金情報と計数情報とが不一致である場合に不一致報知情報を出力することにより、出金情報と計数情報とが不一致であることを報知することができる。
【０１２５】
また、出金処理が完了してから処理時間が経過するまでの期間中に計数処理が開始されない場合に異常報知情報を出力することにより、出金処理の後に計数処理が正常に行われていないことを報知することができる。これにより、出金処理の後に計数処理をし忘れることを防止することができる。
【０１２６】
また、再鑑制御部５３において計数処理における貨幣の重複計数（１つの貨幣が複数回計数されること）を検出することにより、計数処理における操作ミスや不正（具体的には一度計数された貨幣を再度計数させるという操作ミスや不正）を発見することができる。
【０１２７】
また、再鑑制御部５３において、出金金額情報と計数金額情報との照合と、出金番号情報と計数番号情報との照合とを行うことにより、出金金額情報と計数金額情報との照合のみが行われる場合よりも、出金情報と計数情報との照合の信頼性を向上させることができる。また、出金番号情報と計数番号情報との照合とを行うことにより、計数処理における操作ミスや不正（具体的には出金処理において出金された貨幣とは異なる貨幣を計数させるという操作ミスや不正）を発見することができる。
【０１２８】
なお、再鑑制御部５３は、出金情報と計数情報とが一致している場合に、出金情報と計数情報とが一致していることを報知するための情報（一致報知情報）を出力するように構成されていてもよい。例えば、再鑑制御部５３は、不一致報知情報と同様に、一致報知情報を第２貨幣処理装置２０の表示部２２や音声再生部（図示を省略）に出力するように構成されていてもよいし、一致報知情報を管理コンピュータ３０やタブレット端末２やスマートフォン３などの外部機器や窓口端末（図示を省略）に出力するように構成されていてもよい。また、再鑑制御部５３は、第１貨幣処理装置１０のプリンタ１４または第２貨幣処理装置２０に設けられたプリンタ（図示を省略）に一致報知情報を出力することで照合の結果（すなわち出金情報と計数情報とが一致していること）が印字された印字媒体をプリンタに発行させるように構成されていてもよい。
【０１２９】
（実施形態１の変形例１）
なお、実施形態１において、再鑑制御部５３は、出金処理が完了した後に予め定められた処理時間が経過するまでの期間中に計数処理が完了しない場合に、出金処理の後に計数処理が正常に行われていないことを報知するための情報（異常報知情報）を出力するように構成されていてもよい。すなわち、再鑑制御部５３は、図１１に示した動作を行うように構成されていてもよい。図１１の例では、図１０に示したステップＳ３３，Ｓ３４の代わりに、ステップＳ５０が行われる。ステップＳ５０では、以下の処理が行われる。
【０１３０】
〈ステップＳ５０〉
ステップＳ３２において出金情報が取得された時点（すなわち出金処理が完了した時点）から処理時間が経過していない場合、再鑑制御部５３は、計数制御部５２により生成された計数情報が取得されたか否かを判定する。なお、第２貨幣処理装置２０における計数処理が完了すると、計数情報が計数制御部５２により生成される。すなわち、再鑑制御部５３は、第２貨幣処理装置２０における計数処理が完了したか否かを判定する。出金情報が取得された時点（すなわち出金処理が完了した時点）から処理時間が経過するまでの期間中に計数情報が取得されている（すなわち計数処理が完了している）場合にはステップＳ３５へ進み、そうでない場合にはステップＳ３２へ進む。また、再鑑制御部５３は、計数情報を取得すると、その取得された計数情報を第２貨幣処理装置２０の記憶部２４に記憶する。
【０１３１】
以上のように、出金処理が完了してから処理時間が経過するまでの期間中に計数処理が完了しない場合に異常報知情報を出力することにより、出金処理の後に計数処理が正常に行われていないことを報知することができる。これにより、出金処理の後に計数処理をし忘れることを防止することができる。
【０１３２】
（実施形態１の変形例２）
また、第１貨幣処理装置１０の貨幣保管部４００において出金処理が行われてもよい。すなわち、出金制御部５１は、貨幣保管部４００において出金処理が行われるように第１貨幣処理装置１０の動作を制御してもよい。そして、貨幣保管部４００の出金処理において出金された紙幣（貨幣）に対して第２貨幣処理装置２０における計数処理が行われてもよい。
【０１３３】
貨幣保管部４００において出金処理が行われる場合、出金制御部５１は、出金処理において所定の操作（出金処理を開始するための出金操作）に応答してドロア４０１がアクセス禁止状態からアクセス許可状態になるように、貨幣保管部４００の動作を制御する。また、出金制御部５１は、ドロア４０１から取り出される紙幣（貨幣）の金種別の枚数に基づいて出金情報を生成する。例えば、出金制御部５１は、ドロア４０１に収納された紙幣の重量を検知する重量センサ（図示を省略）による検知の結果（重量の変化）に基づいてドロア４０１から取り出された紙幣の金種別の枚数を推定し、その推定された紙幣の金種別の枚数に基づいて出金情報を生成してもよい。または、出金操作により出金すべき紙幣の金種別の枚数が指定されている場合、出金制御部５１は、出金操作により指定された紙幣の金種別の枚数に基づいて出金情報を生成してもよい。そして、貨幣保管部４００の出金処理において出金された紙幣（バラ紙幣または帯封紙幣）は、第２貨幣処理装置２０のホルダ５０１に装填される。
【０１３４】
（実施形態１の変形例３）
また、再鑑制御部５３は、第１貨幣処理装置１０に設けられていてもよい。すなわち、再鑑制御部５３は、第１貨幣処理装置１０の制御部１７の一部を構成するものであってもよい。
【０１３５】
実施形態１の変形例３では、第１貨幣処理装置１０における出金処理が完了すると、第１貨幣処理装置１０に設けられた出金制御部５１は、出金情報を生成し、第１貨幣処理装置１０に設けられた再鑑制御部５３は、第１貨幣処理装置１０により生成された出金情報を取得する。また、第２貨幣処理装置２０における計数処理が完了すると、第２貨幣処理装置２０に設けられた計数制御部５２は、計数情報を生成し、その生成された計数情報を第１貨幣処理装置１０に設けられた再鑑制御部５３に送信し、再鑑制御部５３は、計数制御部５２から送信された計数情報を受信して取得する。そして、再鑑制御部５３は、出金情報と計数情報を第１貨幣処理装置１０の記憶部１６に記憶する。
【０１３６】
なお、実施形態１の変形例３の再鑑制御部５３において図１０に示した動作が行われる場合、図９に示したステップＳ２１において、計数制御部５２は、計数操作が第２貨幣処理装置２０の操作部２１に与えられると、計数操作が与えられたことを再鑑制御部５３に通知する。そして、図１０に示したステップＳ３３において、再鑑制御部５３は、計数制御部５２からの通知の有無に基づいて、第２貨幣処理装置２０における計数処理が開始されたか否かを判定する。
【０１３７】
また、実施形態１の変形例３の再鑑制御部５３において図１１に示した動作が行われる場合、図１１に示したステップＳ５０において、再鑑制御部５３は、計数制御部５２から送信される計数情報の受信の有無に基づいて、第２貨幣処理装置２０における計数処理が完了したか否かを判定する。
【０１３８】
（実施形態１の変形例４）
また、再鑑制御部５３は、管理コンピュータ３０に設けられていてもよい。すなわち、再鑑制御部５３は、管理コンピュータ３０の制御部３５の一部を構成するものであってもよい。
【０１３９】
実施形態１の変形例４では、第１貨幣処理装置１０における出金処理が完了すると、第１貨幣処理装置１０に設けられた出金制御部５１は、出金情報を生成して、その生成された出金情報を管理コンピュータ３０に設けられた再鑑制御部５３に送信し、再鑑制御部５３は、出金制御部５１から送信された出金情報を受信して取得する。また、第２貨幣処理装置２０における計数処理が完了すると、第２貨幣処理装置２０に設けられた計数制御部５２は、計数情報を生成し、その生成された計数情報を管理コンピュータ３０に設けられた再鑑制御部５３に送信し、再鑑制御部５３は、計数制御部５２から送信された計数情報を受信して取得する。そして、再鑑制御部５３は、出金情報と計数情報を管理コンピュータ３０の記憶部３４に記憶する。
【０１４０】
なお、実施形態１の変形例４の再鑑制御部５３において図１０に示した動作が行われる場合、図９に示したステップＳ２１において、計数制御部５２は、計数操作が第２貨幣処理装置２０の操作部２１に与えられると、計数操作が与えられたことを再鑑制御部５３に通知する。そして、図１０に示したステップＳ３３において、再鑑制御部５３は、計数制御部５２からの通知の有無に基づいて、第２貨幣処理装置２０における計数処理が開始されたか否かを判定する。
【０１４１】
また、実施形態１の変形例４の再鑑制御部５３において図１１に示した動作が行われる場合、図１１に示したステップＳ５０において、再鑑制御部５３は、計数制御部５２から送信される計数情報の受信の有無に基づいて、第２貨幣処理装置２０における計数処理が完了したか否かを判定する。
【０１４２】
（実施形態２）
図１２は、実施形態２による貨幣処理システム１の構成を例示している。実施形態２による貨幣処理システム１は、第１貨幣処理装置１０および第２貨幣処理装置２０の構成が実施形態１による貨幣処理システム１と異なっている。なお、実施形態２による貨幣処理システム１のその他の構成は、実施形態１による貨幣処理システム１の構成と同様となっている。
【０１４３】
〔第１貨幣処理装置〕
実施形態２では、第１貨幣処理装置１０のバラ紙幣処理部１００は、図３に示したスパイラル反転部１１４を備えていない。なお、実施形態２の第１貨幣処理装置１０のその他の構成は、実施形態１の第１貨幣処理装置１０の構成と同様となっている。
【０１４４】
〔第２貨幣処理装置〕
実施形態１と同様に、実施形態２の第２貨幣処理装置２０では、第１貨幣処理装置１０の出金処理において出金された貨幣が計数される計数処理などの各種処理が行われる。なお、実施形態２では、第２貨幣処理装置２０は、スパイラル反転機構を有する紙幣計数機を構成している。そして、実施形態２では、２種類の計数処理（第１計数処理と第２計数処理）が行われる。
【０１４５】
図１２および図１３に示すように、第２貨幣処理装置２０は、投入部６０１と、リジェクト部６０２と、複数（この例では２つ）の外部集積部６０３（排出部）と、第１投出部６０４（排出部）と、第２投出部６０５（排出部）と、複数（この例では５つ）の内部集積部６０６と、帯封部６０７と、印字部６０８と、紙幣搬送部６０９（搬送部）と、紙幣識別部６１０（識別部）と、反転部６１１と、操作部２１と、表示部２２と、通信部２３と、記憶部２４と、制御部２５とを備えている。
【０１４６】
〈投入部とリジェクト部〉
投入部６０１は、投入された紙幣を集積する。また、投入部６０１には、投入部６０１に集積された紙幣を１枚ずつ繰り出す繰出部６０１ａが設けられている。リジェクト部６０２は、後述する第１計数処理および第２計数処理において紙幣識別部６１０により正常であると識別されない紙幣（リジェクト紙幣）を集積する。
【０１４７】
〈外部集積部と投出部と内部集積部と帯封部と印字部〉
複数の外部集積部６０３は、紙幣をそれぞれ集積する。また、外部集積部６０３には、外部集積部６０３に集積された紙幣を取り出すための取出口が設けられている。第１投出部６０４は、紙幣を投出する。第２投出部６０５は、紙幣を投出する。複数の内部集積部６０６は、それぞれに割り当てられた金種の紙幣を集積する。帯封部６０７は、所定枚数の紙幣を帯封する。印字部６０８は、帯封紙に情報を印字する。
【０１４８】
〈搬送部〉
紙幣搬送部６０９は、第２貨幣処理装置２０内において紙幣を搬送する。この例では、紙幣搬送部６０９は、投入部６０１とリジェクト部６０２と複数の外部集積部６０３と複数の内部集積部６０６との間において紙幣を搬送する第１紙幣搬送部６０９ａと、第１投出部６０４と複数の内部集積部６０６と帯封部６０７との間において紙幣を搬送する第２紙幣搬送部６０９ｂと、帯封部６０７と第２投出部６０５との間において紙幣を搬送する第３紙幣搬送部６０９ｃとを有している。
【０１４９】
〈識別部〉
紙幣識別部６１０は、第１紙幣搬送部６０９ａに設けられ、投入部６０１の下流側であり且つリジェクト部６０２と複数の外部集積部６０３と複数の内部集積部６０６の上流側である位置に配置されている。そして、紙幣識別部６１０は、第１紙幣搬送部６０９ａにより搬送される紙幣に対して識別動作と計数動作を行う。識別動作では、紙幣識別部６１０は、紙幣の金種、真偽、正損、新旧、方向（表裏と向き）、搬送状態、紙幣に付された記番号（識別番号）などを識別する。計数動作では、紙幣識別部６１０は、紙幣の枚数を金種毎に計数する。
【０１５０】
〈反転部〉
反転部６１１は、第１紙幣搬送部６０９ａに設けられ、紙幣識別部６１０の下流側であり且つ外部集積部６０３と内部集積部６０６の上流側である位置に配置されている。そして、反転部６１１は、第１紙幣搬送部６０９ａにより搬送される紙幣の表裏および天地方向の向きを選択的に反転させる。この例では、反転部６１１は、スイッチバック反転部６１２と、スパイラル反転部６１３とを有している。スイッチバック反転部６１２は、第１紙幣搬送部６０９ａにより搬送される紙幣の搬送幅方向（搬送方向と直交する方向）の向きが変わらないように紙幣の表裏を選択的に反転させる。スパイラル反転部６１３は、スイッチバック反転部６１２の下流側に設けられ、第１紙幣搬送部６０９ａにより搬送される紙幣の搬送幅方向（搬送方向と直交する方向）の向きが変わるように紙幣の表裏を選択的に反転させる。
【０１５１】
〈操作部と表示部〉
実施形態２の第２貨幣処理装置２０の操作部２１と表示部２２の構成は、実施形態１の第２貨幣処理装置２０の操作部２１と表示部２２の構成と同様となっている。なお、実施形態２では、操作部２１と表示部２２とが操作表示部２６を構成している。
【０１５２】
〈通信部と記憶部と制御部〉
実施形態２の第２貨幣処理装置２０の通信部２３と記憶部２４と制御部２５の構成は、実施形態１の第２貨幣処理装置２０の通信部２３と記憶部２４と制御部２５の構成と同様となっている。
【０１５３】
〈第１計数処理〉
第２貨幣処理装置２０の第１計数処理では、出金処理において出金された紙幣（バラ紙幣）が投入部６０１に投入される。具体的には、バラ紙幣処理部１００において出金処理が行われた場合には、バラ紙幣処理部１００から出金されたバラ紙幣が投入部６０１に投入され、帯封紙幣処理部２００において出金処理が行われた場合には、帯封紙幣処理部２００から出金された帯封紙幣の帯封紙が解かれた後に、その帯封紙が解かれた紙幣（バラ紙幣）が投入部６０１に投入される。投入部６０１に投入された紙幣は、第１紙幣搬送部６０９ａに繰り出されて紙幣識別部６１０に搬送され、紙幣識別部６１０において識別される。紙幣識別部６１０において正常であると識別された紙幣は、反転部６１１を経由して複数の外部集積部６０３のいずれかに搬送されて集積される。一方、紙幣識別部６１０において正常であると識別されない紙幣は、反転部６１１を経由してリジェクト部６０２に搬送されてリジェクトされる。
【０１５４】
〈第２計数処理〉
第２貨幣処理装置２０の第２計数処理では、第１計数処理と同様に、出金処理において出金された紙幣（バラ紙幣）が投入部６０１に投入される。投入部６０１に投入された紙幣は、第１紙幣搬送部６０９ａに繰り出されて紙幣識別部６１０に搬送され、紙幣識別部６１０において識別される。紙幣識別部６１０において正常であると識別された紙幣は、紙幣識別部６１０による識別の結果に応じて反転部６１１を経由して複数の内部集積部６０６のいずれかに搬送されて集積される。一方、紙幣識別部６１０において正常であると識別されない紙幣は、反転部６１１を経由してリジェクト部６０２に搬送されてリジェクトされる。また、複数の内部集積部６０６のいずれかに所定枚数（例えば１００枚）の紙幣が集積されると、その所定枚数の紙幣が第２紙幣搬送部６０９ｂに把持されて帯封部６０７に搬送され、帯封部６０７において帯封される。これにより、帯封紙幣が生成される。帯封部６０７において生成された帯封紙幣は、第３紙幣搬送部６０９ｃに繰り出され、第２投出部６０５に搬送されて投出される。そして、投入部６０１に投入された紙幣の全部がリジェクト部６０２および複数の内部集積部６０６のいずれかに搬送された後（すなわち計数すべき紙幣の全部が紙幣識別部６１０において識別された後）に、複数の内部集積部６０６のいずれかに所定枚数未満の紙幣が残存している場合、その残存している所定枚数未満の紙幣が第２紙幣搬送部６０９ｂに把持されて、第１投出部６０４に搬送されて投出される。
【０１５５】
〈紙幣の表裏および天地方向の向き〉
この例では、第２貨幣処理装置２０の第１計数処理において、外部集積部６０３に集積される紙幣の表裏および天地方向がそれぞれ所定の方向に揃うように第２貨幣処理装置２０の動作が制御される。これと同様に、この例では、第２貨幣処理装置２０の第２計数処理において、内部集積部６０６に集積される紙幣の表裏および天地方向がそれぞれ所定の方向に揃うように第２貨幣処理装置２０の動作が制御される。すなわち、この例では、第２貨幣処理装置２０の計数処理において計数されて第２貨幣処理装置２０から排出される紙幣の表裏および天地方向がそれぞれ所定の方向に揃えられている。
【０１５６】
〔出金制御部〕
実施形態２における出金制御部５１の構成および動作は、実施形態１における出金制御部５１の構成および動作（図８参照）と同様となっている。
【０１５７】
〔計数制御部〕
実施形態２における計数制御部５２の構成および動作は、実施形態１における計数制御部５２の構成および動作（図９参照）と同様となっている。なお、実施形態２では、計数制御部５２は、次のようにして第２貨幣処理装置２０の動作を制御する。
【０１５８】
実施形態２では、計数制御部５２は、第２貨幣処理装置２０の計数処理において、投入部から繰り出された貨幣が識別部において識別されて排出部に搬送されるように、第２貨幣処理装置２０の動作を制御する。また、この例では、計数制御部５２は、計数処理において、投入部から繰り出されて識別部と反転部とを経由して排出部から排出される紙幣の表裏および天地方向の向きがそれぞれ所定の方向に揃うように、第２貨幣処理装置２０の動作を制御する。そして、計数制御部５２は、識別部による貨幣の識別および計数の結果に基づいて計数情報を生成する。なお、実施形態２では、第２貨幣処理装置２０において第１計数処理が行われる場合と、第２貨幣処理装置２０において第２計数処理が行われる場合とがある。
【０１５９】
第２貨幣処理装置２０において第１計数処理が行われる場合、計数制御部５２は、第１計数処理において、投入部６０１（投入部）から繰り出された貨幣が紙幣識別部６１０（識別部）において識別されて反転部６１１（反転部）を経由して外部集積部６０３（排出部）に搬送されるように、第２貨幣処理装置２０の動作を制御する。そして、計数制御部５２は、紙幣識別部６１０による紙幣の識別および計数の結果に基づいて、計数情報を生成する。
【０１６０】
第２貨幣処理装置２０において第２計数処理が行われる場合、計数制御部５２は、第２計数処理において、投入部６０１（投出部）から繰り出された貨幣が紙幣識別部６１０（識別部）において識別されて反転部６１１（反転部）を経由して内部集積部６０６に搬送され、内部集積部６０６に集積された所定枚数の紙幣が帯封部６０７において帯封されて第２投出部６０５（排出部）に搬送された後に、内部集積部６０６に残存する所定枚数未満の紙幣が第１投出部６０４（排出部）に搬送されるように、第２貨幣処理装置２０の動作を制御する。そして、計数制御部５２は、紙幣識別部６１０による紙幣の識別および計数の結果に基づいて計数情報を生成する。
【０１６１】
〔再鑑制御部〕
実施形態２における再鑑制御部５３の構成および動作は、実施形態１における再鑑制御部５３の構成および動作（図１０参照）と同様となっている。
【０１６２】
〔実施形態２による効果〕
実施形態２による貨幣処理システム１では、実施形態１による貨幣処理システム１と同様の効果を得ることができる。例えば、再鑑制御部５３において出金情報と計数情報とを照合することにより、操作者による貨幣の再鑑をサポートすることができ、貨幣の再鑑を行う操作者の負担を軽減することができる。
【０１６３】
また、実施形態２では、計数制御部５２は、計数処理において、投入部６０１から繰り出されて識別部（図１３の例では紙幣識別部６１０）と反転部６１１とを経由して排出部（図１３の例では外部集積部６０３と第１投出部６０４と第２投出部６０５のいずれか）から排出される紙幣（バラ紙幣または帯封紙幣）の表裏および天地方向の向きがそれぞれ所定の方向に揃うように、第２貨幣処理装置２０の動作を制御する。これにより、紙幣の表裏および天地方向の向きがそれぞれ所定の方向に揃えられた状態で紙幣を排出することができる。したがって、紙幣の表裏および天地方向の向きをそれぞれ所定の方向に揃えるための作業を省略することができるので、操作者の負担を軽減することができる。
【０１６４】
（実施形態２の変形例１）
なお、実施形態１の変形例１と同様に、実施形態２において、再鑑制御部５３は、出金処理が完了した後に予め定められた処理時間が経過するまでの期間中に計数処理が完了しない場合に、出金処理の後に計数処理が正常に行われていないことを報知するための情報（異常報知情報）を出力するように構成されていてもよい。すなわち、再鑑制御部５３は、図１１に示した動作を行うように構成されていてもよい。
【０１６５】
（実施形態２の変形例２）
また、実施形態１の変形例２と同様に、実施形態２において、第１貨幣処理装置１０の貨幣保管部４００から出金された紙幣（貨幣）に対して第２貨幣処理装置２０における計数処理が行われてもよい。すなわち、出金制御部５１は、第１貨幣処理装置１０の貨幣保管部４００において出金処理が行われるように第１貨幣処理装置１０の動作を制御してもよい。
【０１６６】
（実施形態２の変形例３）
また、実施形態１の変形例３と同様に、実施形態２において、再鑑制御部５３は、第１貨幣処理装置１０に設けられていてもよい。すなわち、再鑑制御部５３は、第１貨幣処理装置１０の制御部１７の一部を構成するものであってもよい。
【０１６７】
（実施形態２の変形例４）
また、実施形態１の変形例４と同様に、実施形態２において、再鑑制御部５３は、管理コンピュータ３０に設けられていてもよい。すなわち、再鑑制御部５３は、管理コンピュータ３０の制御部３５の一部を構成するものであってもよい。
【０１６８】
（実施形態３）
図１４は、実施形態３による貨幣処理システム１の構成を例示している。実施形態３による貨幣処理システム１は、第１貨幣処理装置１０と、管理コンピュータ３０とを備えている。
【０１６９】
〔第１貨幣処理装置〕
図１４および図１５に示すように、実施形態３の第１貨幣処理装置１０の構成は、実施形態１による第１貨幣処理装置１０の構成と同様となっている。なお、実施形態３の第１貨幣処理装置１０では、実施形態１の第１貨幣処理装置１０において行われる入金処理や出金処理などの各種処理に加えて、出金処理において出金された貨幣が計数される計数処理が行われる。すなわち、第１貨幣処理装置１０では、貨幣が出金される出金処理と、出金処理において出金された貨幣が計数される計数処理とが行われ、計数処理により計数された貨幣が第１貨幣処理装置１０から排出される。
【０１７０】
実施形態３では、バラ紙幣処理部１００は、実施形態１のバラ紙幣処理部１００により行われる入金処理や出金処理などの各種処理に加えて、出金処理において出金された貨幣を計数する計数処理を行う。また、第１貨幣処理装置１０の制御部１７は、出金制御部５１と、計数制御部５２と、再鑑制御部５３とを有している。すなわち、出金制御部５１と計数制御部５２と再鑑制御部５３は、制御部１７の一部を構成している。
【０１７１】
〈計数処理〉
バラ紙幣処理部１００の計数処理では、第１貨幣処理装置１０の出金処理において出金された紙幣が入金部１０１に投入される。入金部１０１に投入された紙幣は、第１バラ紙幣搬送部１１０ａに繰り出されて入金識別部１１１に搬送され、入金識別部１１１において識別される。入金識別部１１１において正常であると識別された紙幣は、スイッチバック反転部１１２を経由して第４バラ紙幣搬送部１１０ｄに搬送され、第４バラ紙幣搬送部１１０ｄから第２バラ紙幣搬送部１１０ｂに搬送される。第２バラ紙幣搬送部１１０ｂに搬送された紙幣は、出金部１０７に搬送されて払い出される。一方、入金識別部１１１において正常であると識別されない紙幣は、スイッチバック反転部１１２を経由して入金リジェクト部１０２に搬送される。
【０１７２】
なお、第１貨幣処理装置１０の出金処理において出金される紙幣が帯封紙幣である場合（すなわち帯封紙幣処理部２００において出金処理が行われる場合）、その出金された帯封紙幣の帯封紙が解かれて帯封紙幣がバラ紙幣にされた後に、そのバラ紙幣がバラ紙幣処理部１００の入金部１０１に投入されて第１貨幣処理装置１０における計数処理が行われる。この場合、第１貨幣処理装置１０の計数処理において、帯封紙幣が第１貨幣処理装置１０（具体的には帯封紙幣処理部２００）から排出されてもよい。すなわち、入金識別部１１１において正常であると識別された紙幣が整理一時保留部１０９に搬送されて集積され、整理一時保留部１０９に集積された所定枚数（例えば１００枚）の紙幣が帯封紙幣処理部２００の帯封部２０３に搬送されて帯封され、帯封部２０３により帯封された紙幣（帯封紙幣）が出金部２０４に搬送されて払い出されるようになっていてもよい。
【０１７３】
〔出金制御部〕
実施形態３における出金制御部５１の構成および動作は、実施形態１における出金制御部５１の構成および動作（図８）と同様となっている。
【０１７４】
〔計数制御部〕
実施形態３における計数制御部５２の構成および動作は、実施形態１における計数制御部５２の構成および動作（図９）と同様となっている。なお、実施形態３では、計数制御部５２は、次のようにして第１貨幣処理装置１０の動作を制御する。
【０１７５】
実施形態３では、計数制御部５２は、第１貨幣処理装置１０において計数処理が行われるように第１貨幣処理装置１０の動作を制御する。この例では、計数制御部５２は、第１貨幣処理装置１０の計数処理において、入金部１０１（投入部）に投入された紙幣（貨幣）が入金識別部１１１（識別部）において識別されて出金部１０７（排出部）に搬送されるように、第１貨幣処理装置１０の動作を制御する。そして、計数制御部５２は、入金識別部１１１による紙幣の識別および計数の結果に基づいて計数情報を生成する。
【０１７６】
〔再鑑制御部〕
実施形態３における再鑑制御部５３の構成および動作は、実施形態１における再鑑制御部５３の構成および動作（図１０参照）と同様となっている。なお、実施形態３では、第１貨幣処理装置１０における出金処理が完了すると、出金制御部５１は、出金情報を生成し、再鑑制御部５３は、出金制御部５１により生成された出金情報を取得する。また、第１貨幣処理装置１０における計数処理が完了すると、計数制御部５２は、計数情報を生成し、再鑑制御部５３は、計数制御部５２により生成された計数情報を取得する。
【０１７７】
〔実施形態３による効果〕
実施形態３による貨幣処理システム１では、実施形態１による貨幣処理システム１と同様の効果を得ることができる。例えば、再鑑制御部５３において出金情報と計数情報とを照合することにより、操作者による貨幣の再鑑をサポートすることができ、貨幣の再鑑を行う操作者の負担を軽減することができる。
【０１７８】
（実施形態３の変形例１）
なお、実施形態１の変形例１と同様に、実施形態３において、再鑑制御部５３は、出金処理が完了した後に予め定められた処理時間が経過するまでの期間中に計数処理が完了しない場合に、出金処理の後に計数処理が正常に行われていないことを報知するための情報（異常報知情報）を出力するように構成されていてもよい。すなわち、再鑑制御部５３は、図１１に示した動作を行うように構成されていてもよい。
【０１７９】
（実施形態３の変形例２）
また、実施形態１の変形例２と同様に、実施形態３において、第１貨幣処理装置１０の貨幣保管部４００から出金された貨幣に対して第１貨幣処理装置１０（具体的にはバラ紙幣処理部１００）における計数処理が行われてもよい。すなわち、出金制御部５１は、第１貨幣処理装置１０の貨幣保管部４００において出金処理が行われるように第１貨幣処理装置１０の動作を制御してもよい。
【０１８０】
（各種処理における印字媒体の発行）
図１６は、出納機を構成する第１貨幣処理装置１０において行われる各種処理を例示している。図１６に示すように、出納機を構成する第１貨幣処理装置１０では、複数（図１６の例では１８個）の処理が行われる。ここで、第１貨幣処理装置１０は、第１貨幣処理装置１０において行われる複数の処理の各々について、その処理の結果に関する情報を印字媒体に印字して発行するか否かを設定することができるように構成されていてもよい。すなわち、第１貨幣処理装置１０において、複数の処理毎に伝票（印字媒体）への印字の要否が設定可能となっていてもよい。また、第１貨幣処理装置１０において行われる複数の処理の中には、印字の要否の設定が不可能な処理（例えば印字が常に必要とされる処理）が含まれていてもよい。
【０１８１】
なお、複数の処理のうち印字が不要となる処理の例として、両替機処理と、別計算処理と、支払い基準処理と、一括処理と、オン入金（入金処理の一例）と、オン出金（出金処理の一例）とが挙げられる。
【０１８２】
〔両替機処理〕
両替機処理では、出納機と両替機の連携機能において装填・回収の管理が可能であり、実施結果についても電子ジャーナルなどで追跡が可能であるので、この処理の結果を出納機側で印字媒体に印字することは必須ではない。なお、両替機処理では、出納機におけるデータクリアの際に未実施の装填・回収がある場合に、警告画面が表示される。
【０１８３】
〔別計算処理と支払い基準処理と一括処理〕
別計算処理と支払い基準処理と一括処理は、特定用途の現金を準備する処理であり、この処理の結果を出納機側で印字媒体に印字することは必須ではない。なお、これらの処理では、既に発行された印字媒体（レシート）と現金とをペアで保管することで、出納機側における印字媒体への印字と代替可能である。
【０１８４】
〔オン入金とオン出金〕
オン入金とオン出金は、出納機と共同加盟信用金庫で使用している勘定系端末との連携処理であり、入金や出金の管理が勘定系端末側で可能であり、実施結果についても電子ジャーナルなどで追跡が可能であるので、この処理の結果を出納機側で印字媒体に印字することは必須ではない。
【０１８５】
〔貨幣処理装置の構成〕
例えば、出納機を構成する第１貨幣処理装置１０は、特定の権限を有する操作者による設定操作（複数の処理毎に印字の要否を設定するための操作）が第１貨幣処理装置１０の操作表示部１１（または操作部１２）に与えられた場合に、その設定操作に応じて複数の処理毎に印字の要否を設定するように構成されていてもよい。また、出納機を構成する第１貨幣処理装置１０は、タブレット端末２やスマートフォン３や管理コンピュータ３０などの外部機器から設定情報（（複数の処理毎に印字の要否を設定するための情報）を取得し、その取得された設定情報に応じて複数の処理毎に印字の要否を設定するように構成されていてもよい。
【０１８６】
なお、第１貨幣処理装置１０では、複数の処理毎に、印字の要否に拘わらず、その処理の結果に関する情報（ログ）が第１貨幣処理装置１０の記憶部１６に記憶されている。ここで、第１貨幣処理装置１０は、記憶部１６に記憶されている複数の処理毎の情報（その処理の結果に関する情報）を第１貨幣処理装置１０の操作表示部１１（または表示部１３）に表示するように構成されていてもよいし、記憶部１６に記憶されている複数の処理毎の情報をタブレット端末２やスマートフォン３や管理コンピュータ３０などの外部機器に送信するように構成されていてもよい。
【０１８７】
また、第１貨幣処理装置１０は、複数の処理の各々について、その処理において第１貨幣処理装置１０の操作表示部１１（または表示部１３）に表示される操作画面の画像とともに印字選択アイコン（その処理の結果を印字媒体に印字するか否かを選択するためのアイコン）が表示されるように、操作表示部１１（または表示部１３）を制御するように構成されていてもよい。この場合、複数の処理の各々について、その処理が「印字不要」の設定となっている場合であっても、その処理において印字選択アイコンが表示されるようになっていてもよい。
【０１８８】
（その他の実施形態）
なお、以上の説明において、再鑑制御部５３は、出金情報と計数情報とが不一致である場合に、不一致報知情報ととともに（または不一致報知情報の代わりに）、所定の権限を有する管理者による貨幣の再鑑（出金処理において出金された貨幣の再鑑）の実施を促すための情報を出力するように構成されていてもよい。
【０１８９】
また、以上の説明において、出金処理の後に計数処理が正常に行われているか否かを判定するための判定基準となる処理時間は、固定値であってもよいし、可変値であってもよい。例えば、再鑑制御部５３は、出金処理が完了した時点において次に計数処理が行われるべき貨幣処理装置（実施形態１，２では第２貨幣処理装置２０、実施形態３では第１貨幣処理装置１０）が他の操作者により操作されてその貨幣処理装置において他の処理が行われている場合に、その貨幣処理装置において他の処理が行われている時間だけ処理時間が長くなるように、処理時間を変更するように構成されていてもよい。すなわち、出金処理が完了した時点において次に計数処理が行われるべき貨幣処理装置が他の操作者により操作されている場合、その貨幣処理装置における他の処理が完了するまで、異常報知情報の出力が猶予されるようになっていてもよい。
【０１９０】
また、以上の説明では、出金処理において出金された紙幣に対して計数処理が行われる場合を例に挙げたが、出金処理において硬貨が出金され、その硬貨に対して計数処理が行われてもよい。
【０１９１】
また、以上の説明では、実施形態１において、第１貨幣処理装置１０の出金処理において出金される紙幣の表裏および天地方向の向きがそれぞれ所定の方向に揃えられている場合を例に挙げたが、第１貨幣処理装置１０の出金処理において出金される紙幣は、その表裏および天地方向の向きがそれぞれ所定の方向に揃えられていなくてもよい。これと同様に、実施形態２において、第２貨幣処理装置２０の計数処理において計数されて排出される紙幣は、その表裏および天地方向の向きがそれぞれ所定の方向に揃えられていてもよいし揃えられていなくてもよい。
【０１９２】
また、以上の説明では、出金情報に出金番号情報（出金処理において計数された貨幣に付された識別番号を示す情報）が含まれる場合を例に挙げたが、出金情報に出金番号情報が含まれていなくてもよい。これと同様に、計数情報に計数番号情報（計数処理において計数された貨幣に付された識別番号を示す情報）が含まれる場合を例に挙げたが、計数情報に計数番号情報が含まれていていなくてもよい。
【０１９３】
また、以上の説明では、再鑑制御部５３が計数情報に含まれる計数番号情報に基づいて計数処理における貨幣の重複計数を検出する動作を行う場合を例に挙げたが、再鑑制御部５３は、計数処理における貨幣の重複計数を検出する動作を行わないように構成されていてもよい。すなわち、図１０および図１１に示したステップＳ３５，Ｓ３９が省略されていてもよい。
【０１９４】
また、以上の説明では、再鑑制御部５３が出金金額情報と計数金額情報とを照合し且つ出金番号情報と計数番号情報とを照合する場合を例に挙げたが、再鑑制御部５３は、出金番号情報と計数番号情報との照合を行わないように構成されていてもよい。例えば、再鑑制御部５３は、図１０および図１１に示したステップＳ３６において、出金番号情報と計数番号情報との照合を行わずに、出金金額情報と計数金額情報との照合のみを行うように構成されていてもよい。
【０１９５】
また、以上の実施形態および変形例を適宜組み合わせて実施してもよい。以上の実施形態および変形例は、本質的に好ましい例示であって、この発明、その適用物、あるいはその用途の範囲を制限することを意図するものではない。
【産業上の利用可能性】
【０１９６】
以上説明したように、ここに開示する技術は、貨幣処理システムに有用である。
【符号の説明】
【０１９７】
１          貨幣処理システム
１０        第１貨幣処理装置
１１        操作表示部
１２        操作部
１３        表示部
１４        プリンタ
１５        通信部
１６        記憶部
１７        制御部
２０        第２貨幣処理装置
２１        操作部
２２        表示部
２３        通信部
２４        記憶部
２５        制御部
３０        管理コンピュータ
３１        操作部
３２        表示部
３３        通信部
３４        記憶部
３５        制御部
５１        出金制御部
５２        計数制御部
５３        再鑑制御部
１００      バラ紙幣処理部
１０６      金種別紙幣収納部（収納部）
１０７      出金部
１１０      バラ紙幣搬送部（搬送部）
１１３      出金識別部（識別部）
２００      帯封紙幣処理部
２０４      出金部
２０６      帯封紙幣収納部（収納部）
２０７      帯封紙幣搬送部（搬送部）
２０８      帯封紙幣識別部（識別部）
４００      貨幣保管部
４０１      ドロア
５０１      ホルダ
５０２      捲り機構
５０３      識別部
６０１      投入部
６０３      外部集積部（排出部）
６０４      第１投出部（排出部）
６０５      第２投出部（排出部）
６０６      内部集積部
６０７      帯封部
６０９      紙幣搬送部（搬送部）
６１０      紙幣識別部（識別部）
６１１      反転部
【図１】
2019185537.tif 000003
【図２】
2019185537.tif 000004
【図３】
2019185537.tif 000005
【図４】
2019185537.tif 000006
【図５】
2019185537.tif 000007
【図６】
2019185537.tif 000008
【図７】
2019185537.tif 000009
【図８】
2019185537.tif 000010
【図９】
2019185537.tif 000011
【図１０】
2019185537.tif 000012
【図１１】
2019185537.tif 000013
【図１２】
2019185537.tif 000014
【図１３】
2019185537.tif 000015
【図１４】
2019185537.tif 000016
【図１５】
2019185537.tif 000017
【図１６】
2019185537.tif 000018